(57)【要約】  サービスの中断を受けずにスムーズなハンドオーバをすることができ、所望するハンドオーバを行うことができるハンドオーバ処理方法などを提供する技術が開示され、その技術によれば複数のアクセスネットワークのうちの所望するアクセスネットワークへの移動端末の接続を優先的にさせるための所定の情報を含むメッセージを移動端末１００が生成するステップと、移動端末が、生成されたメッセージを、所望するアクセスネットワークに配置された基地局又は現在接続しているアクセスネットワークに配置された基地局へ送信するステップと、送信されたメッセージを受信する基地局を通じて得られる所定の情報に基づいて、移動端末の接続管理を行う接続管理装置１０４が、所望するアクセスネットワーク以外のアクセスネットワークの基地局からのパス切り替え要求を拒否するステップとを有する。
2010026740.tif 000002
【特許請求の範囲】
【請求項１】
移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法であって、
前記複数のアクセスネットワークのうちの所望するアクセスネットワークへの前記移動端末の接続を優先的にさせるための所定の情報を含むメッセージを前記移動端末が生成するステップと、
前記移動端末が、生成された前記メッセージを、前記所望するアクセスネットワークに配置された基地局又は現在接続しているアクセスネットワークに配置された基地局へ送信するステップと、
送信された前記メッセージを受信する前記基地局を通じて得られる前記所定の情報に基づいて、前記接続管理装置が、前記所望するアクセスネットワーク以外のアクセスネットワークの基地局からの前記移動端末のハンドオーバによるパス切り替え要求を拒否するステップとを、
有するハンドオーバ処理方法。
【請求項２】
前記所定の情報は、前記所望するアクセスネットワークへの接続の優先度が他のアクセスネットワークへの接続の優先度より高いことを示す情報、又は前記所望するアクセスネットワーク以外のアクセスネットワークへの接続の優先度が前記所望するアクセスネットワークへの接続の優先度より低いことを示す情報である請求項１に記載のハンドオーバ処理方法。
【請求項３】
前記所定の情報が、前記所望するアクセスネットワークへの接続の優先度が他のアクセスネットワークへの接続の優先度より高いことを示す情報である場合、
前記メッセージを受信する前記所望するアクセスネットワークに配置された前記基地局が、新たな接続の認証を行う認証装置に前記所定の情報を含む認証要求メッセージを送信し、
前記認証装置が、前記認証要求メッセージに基づいて新たな接続の認証を許可した後に、前記所望するアクセスネットワーク以外のアクセスネットワークの基地局からの前記パス切り替え要求を拒否させるために前記所定の情報を前記接続管理装置に通知する請求項２に記載のハンドオーバ処理方法。
【請求項４】
前記所定の情報が、前記所望するアクセスネットワークへの接続の優先度が他のアクセスネットワークへの接続の優先度より高いことを示す情報である場合、
生成された前記メッセージは、前記所望するアクセスネットワークに配置された前記基地局に前記移動端末の識別情報を通知するメッセージである請求項２に記載のハンドオーバ処理方法。
【請求項５】
前記所定の情報が、前記所望するアクセスネットワーク以外のアクセスネットワークへの接続の優先度が前記所望するアクセスネットワークへの接続の優先度より低いことを示す情報である場合、
前記接続管理装置が、前記移動端末が現在接続しているアクセスネットワークに配置された前記基地局から得られる前記所定の情報を関連付けて、前記所望するアクセスネットワーク以外のアクセスネットワークへのパス切り替えの処理を行い、その後、前記所望するアクセスネットワークに配置された前記基地局からのパス切り替え要求のメッセージに基づいてパス切り替えの処理を行った後、前記所定の情報を含むパス切り替え要求のメッセージを前記所望するアクセスネットワーク以外のアクセスネットワークに配置された基地局から受信した場合に、前記所定の情報に基づいて、前記所望するアクセスネットワーク以外のアクセスネットワークの前記基地局からの前記パス切り替え要求を拒否する請求項２に記載のハンドオーバ処理方法。
【請求項６】
移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記移動端末であって、
前記複数のアクセスネットワークのうちの所望するアクセスネットワークへの前記移動端末の接続を優先的にさせるための所定の情報を含むメッセージを生成するメッセージ生成手段と、
生成された前記メッセージを、前記所望するアクセスネットワークに配置された基地局又は現在接続しているアクセスネットワークに配置された基地局へ送信する送信手段とを、
備える移動端末。
【請求項７】
前記所定の情報は、前記所望するアクセスネットワークへの接続の優先度が他のアクセスネットワークへの接続の優先度より高いことを示す情報、又は前記所望するアクセスネットワーク以外のアクセスネットワークへの接続の優先度が前記所望するアクセスネットワークへの接続の優先度より低いことを示す情報である請求項６に記載の移動端末。
【請求項８】
前記所定の情報が、前記所望するアクセスネットワークへの接続の優先度が他のアクセスネットワークへの接続の優先度より高いことを示す情報である場合、
前記メッセージ生成手段によって生成された前記メッセージは、前記所望するアクセスネットワークに配置された前記基地局に前記移動端末の識別情報を通知するメッセージである請求項７に記載の移動端末。
【請求項９】
移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記接続管理装置であって、
前記複数のアクセスネットワークのうちの前記移動端末が所望するアクセスネットワーク以外のアクセスネットワークに配置された基地局から、パス切り替え要求メッセージを受信する受信手段と、
前記移動端末によって生成されたメッセージに含まれる情報であって、前記複数のアクセスネットワークのうちの所望するアクセスネットワークへの前記移動端末の接続を優先的にさせるための所定の情報に基づいて、前記所望するアクセスネットワーク以外のアクセスネットワークの前記基地局からの要求であって、前記移動端末のハンドオーバによるパス切り替え要求を拒否するか否かを判断する判断手段と、
前記パス切り替え要求を拒否すると判断された場合に、前記パス切り替え要求を拒否する旨のメッセージを前記所望するアクセスネットワーク以外のアクセスネットワークの前記基地局へ送信する送信手段とを、
備える接続管理装置。
【請求項１０】
前記所定の情報は、前記所望するアクセスネットワークへの接続の優先度が他のアクセスネットワークへの接続の優先度より高いことを示す情報、又は前記所望するアクセスネットワーク以外のアクセスネットワークへの接続の優先度が前記所望するアクセスネットワークへの接続の優先度より低いことを示す情報である請求項９に記載の接続管理装置。
【請求項１１】
前記所定の情報が、前記所望するアクセスネットワークへの接続の優先度が他のアクセスネットワークへの接続の優先度より高いことを示す情報である場合、
前記メッセージを受信する前記所望するアクセスネットワークに配置された前記基地局によって送信された前記所定の情報を含む認証要求メッセージを新たな接続の認証を行う認証装置が受信し、前記認証要求メッセージに基づいて新たな接続の認証を許可した後に、
前記受信手段は、前記所望するアクセスネットワーク以外のアクセスネットワークの前記基地局からの前記パス切り替え要求を拒否させるための前記所定の情報を前記認証装置から受信する請求項１０に記載の接続管理装置。
【請求項１２】
前記所定の情報が、前記所望するアクセスネットワーク以外のアクセスネットワークへの接続の優先度が前記所望するアクセスネットワークへの接続の優先度より低いことを示す情報である場合、
前記判断手段が、前記移動端末が現在接続しているアクセスネットワークに配置された前記基地局から得られる前記所定の情報を関連付けて、前記所望するアクセスネットワーク以外のアクセスネットワークへのパス切り替えの処理を行い、その後、前記所望するアクセスネットワークに配置された前記基地局からのパス切り替え要求のメッセージに基づいてパス切り替えの処理を行い、前記受信手段が、前記所定の情報を含むパス切り替え要求のメッセージを前記所望するアクセスネットワーク以外のアクセスネットワークに配置された基地局から受信した場合に、
前記判断手段は、前記所定の情報に基づいて、前記所望するアクセスネットワーク以外のアクセスネットワークの前記基地局からの前記パス切り替え要求を拒否する請求項１０に記載の接続管理装置。
【請求項１３】
移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記移動端末の基地局であって、
前記移動端末によって生成されたメッセージであって、前記複数のアクセスネットワークのうちの所望するアクセスネットワークへの前記移動端末の接続を優先的にさせるための所定の情報を含むメッセージを受信する受信手段と、
受信された前記メッセージに含まれる前記所定の情報を取得し、取得された前記所定の情報を含むメッセージを生成する、又は取得された前記所定の情報を含むパス切り替え要求のメッセージを生成するメッセージ生成手段と、
生成された前記メッセージ又は前記パス切り替え要求のメッセージを所定の装置又は前記接続管理装置へ送信する送信手段とを、
備える基地局。
【請求項１４】
前記所定の情報は、前記所望するアクセスネットワークへの接続の優先度が他のアクセスネットワークへの接続の優先度より高いことを示す情報、又は前記所望するアクセスネットワーク以外のアクセスネットワークへの接続の優先度が前記所望するアクセスネットワークへの接続の優先度より低いことを示す情報である請求項１３に記載の基地局。
【請求項１５】
前記所定の情報が、前記所望するアクセスネットワークへの接続の優先度が他のアクセスネットワークへの接続の優先度より高いことを示す情報である場合、
前記メッセージ生成手段は、新たな接続の認証を行う認証装置に認証を行わせるためのメッセージであって、前記所定の情報を含む認証要求メッセージを生成し、
前記送信手段は、生成された前記認証要求メッセージを前記認証装置へ送信する請求項１４に記載の基地局。
【請求項１６】
前記所定の情報が、前記所望するアクセスネットワークへの接続の優先度が他のアクセスネットワークへの接続の優先度より高いことを示す情報である場合、
前記移動端末によって生成された前記メッセージは、前記所望するアクセスネットワークに配置された前記基地局に前記移動端末の識別情報を通知するメッセージである請求項１４に記載の基地局。
【発明の詳細な説明】
【技術分野】
【０００１】
本発明は、移動端末のハンドオーバを制御する主体が複数存在し、それぞれの制御主体による移動端末のハンドオーバが同時期に発生する場合の移動端末のハンドオーバ処理方法、その方法によって用いられる移動端末、接続管理装置及び基地局に関する。
【背景技術】
【０００２】
大規模ネットワークのほとんどは、所定のモビリティスキームによって管理されるネットワークである。例えば、ＰＭＩＰ（Proxy Mobile Internet Protocol、非特許文献１を参照）などによるネットワークである。このような環境では、移動端末の構成を簡単にすることができ、ユーザ（オペレータ）はサービスに対してよりよい制御を行うことができる。これらのネットワークにおいて、移動端末のハンドオーバは、通常、ネットワークによって決定され開始される。【０００３】
しかし、複数のアクセス技術を有する移動端末にとってこの種の構成はうまく機能しない。例えば、３Ｇ接続がネットワークの環境に基づいてうまく機能していたとしても、移動端末が料金面などを理由にＩＥＥＥ８０２．１１ＷＬＡＮ（Wireless Local Area Network）若しくはＷｉＭＡＸ（World Interoperability for Microwave Access）アクセスにハンドオーバをすることを決定することがある。【０００４】
そのような移動端末に対しては、移動端末がハンドオーバの決定をネットワークに示すことによってハンドオーバの開始を認める。例えば、移動端末はハンドオーバ決定アルゴリズムに基づいて３Ｇネットワークを中断するためにネットワークにシグナリングを送信することができ、異種のネットワークへのハンドオーバを行うことができる。
【先行技術文献】
【非特許文献】
【０００５】
【非特許文献１】S.Gundavelli et al, “Proxy Mobile IPv6”, RFC5213, August 2008, http://www.ietf.org/rfc/rfc5213.txt
【非特許文献２】“3GPP TS23.401v8.1.0”, ftp://ftp.3gpp.org 2008-03
【非特許文献３】“3GPP TS23.402v8.1.1”, ftp://ftp.3gpp.org 2008-03
【非特許文献４】B. Aboba et al, "Extensible Authentication Protocol", RFC3748, June 2004, http://www.ietf.org/rfc/rfc3748.txt
【非特許文献５】B. Aboba et al, "The Network Access Identifier", RFC4282, December 2005, http://www.ietf.org/rfc/rfc4282.txt
【０００６】
しかし、これには問題がある。通常、移動端末は異種のネットワークへのハンドオーバを行うために長い時間を要する。これにより、サービスの中断が起こる。アクセス技術の違いのため、古いアクセスの接続コンテキストが新しいアクセスに適用できない。そのため、移動端末は新たなアクセスの形成及び接続の再構築を得るために時間を要する。この場合、古いアクセスへの接続は、新たなアクセスの形成より先に切断され、サービス中断が生じてしまう。【０００７】
さらに、ネットワーク主導型のハンドオーバと移動端末主導型のハンドオーバが同時に起こると、シグナリング衝突（コンフリクション）が生じ、望ましくないハンドオーバがなされる原因となる。最悪の場合、移動端末はすべての接続を失ってしまう。上述の問題から、データ通信ネットワークにおいて移動端末の動作を適当に制御するよりよい方法が必要とされている。
【発明の概要】
【０００８】
本発明は、上記の問題点に鑑み、サービスの中断を受けずにスムーズなハンドオーバをすることができ、所望するハンドオーバを行うことができるハンドオーバ処理方法、その方法によって用いられる移動端末、接続管理装置及び基地局を提供することを目的とする。
【０００９】
上記目的を達成するために、本発明によれば、移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法であって、前記複数のアクセスネットワークのうちの所望するアクセスネットワークへの前記移動端末の接続を優先的にさせるための所定の情報を含むメッセージを前記移動端末が生成するステップと、前記移動端末が、生成された前記メッセージを、前記所望するアクセスネットワークに配置された基地局又は現在接続しているアクセスネットワークに配置された基地局へ送信するステップと、送信された前記メッセージを受信する前記基地局を通じて得られる前記所定の情報に基づいて、前記接続管理装置が、前記所望するアクセスネットワーク以外のアクセスネットワークの基地局からの前記移動端末のハンドオーバによるパス切り替え要求を拒否するステップとを、有するハンドオーバ処理方法が提供される。この構成により、サービスの中断を受けずにスムーズなハンドオーバをすることができ、所望するハンドオーバを行うことができる。なお、接続管理装置は、後述するＳＧに相当する。
【００１０】
また、本発明によれば、移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記移動端末であって、前記複数のアクセスネットワークのうちの所望するアクセスネットワークへの前記移動端末の接続を優先的にさせるための所定の情報を含むメッセージを生成するメッセージ生成手段と、生成された前記メッセージを、前記所望するアクセスネットワークに配置された基地局又は現在接続しているアクセスネットワークに配置された基地局へ送信する送信手段とを、備える移動端末が提供される。この構成により、サービスの中断を受けずにスムーズなハンドオーバをすることができ、所望するハンドオーバを行うことができる。
【００１１】
また、本発明によれば、移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記接続管理装置であって、前記複数のアクセスネットワークのうちの前記移動端末が所望するアクセスネットワーク以外のアクセスネットワークに配置された基地局から、パス切り替え要求メッセージを受信する受信手段と、前記移動端末によって生成されたメッセージに含まれる情報であって、前記複数のアクセスネットワークのうちの所望するアクセスネットワークへの前記移動端末の接続を優先的にさせるための所定の情報に基づいて、前記所望するアクセスネットワーク以外のアクセスネットワークの前記基地局からの要求であって、前記移動端末のハンドオーバによるパス切り替え要求を拒否するか否かを判断する判断手段と、前記パス切り替え要求を拒否すると判断された場合に、前記パス切り替え要求を拒否する旨のメッセージを前記所望するアクセスネットワーク以外のアクセスネットワークの前記基地局へ送信する送信手段とを、備える接続管理装置が提供される。この構成により、サービスの中断を受けずにスムーズなハンドオーバをすることができ、所望するハンドオーバを行うことができる。
【００１２】
また、本発明によれば、移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記移動端末の基地局であって、前記移動端末によって生成されたメッセージであって、前記複数のアクセスネットワークのうちの所望するアクセスネットワークへの前記移動端末の接続を優先的にさせるための所定の情報を含むメッセージを受信する受信手段と、受信された前記メッセージに含まれる前記所定の情報を取得し、取得された前記所定の情報を含むメッセージを生成する、又は取得された前記所定の情報を含むパス切り替え要求のメッセージを生成するメッセージ生成手段と、生成された前記メッセージ又は前記パス切り替え要求のメッセージを所定の装置又は前記接続管理装置へ送信する送信手段とを、備える基地局が提供される。この構成により、サービスの中断を受けずにスムーズなハンドオーバをすることができ、所望するハンドオーバを行うことができる。
【００１３】
本発明のハンドオーバ処理方法、その方法によって用いられる移動端末、接続管理装置及び基地局は、サービスの中断を受けずにスムーズなハンドオーバをすることができ、所望するハンドオーバを行うことができる。
【図面の簡単な説明】
【００１４】
【図１】本発明の第１、第２の実施の形態におけるネットワークの構成の一例を示す構成図
【図２】本発明の第１の実施の形態における解法の前提を説明するためのシグナリングシーケンスの一例を示すシーケンスチャート
【図３】本発明の第１の実施の形態におけるネットワークの構成の一部を示す構成図
【図４】本発明の第１の実施の形態における処理シーケンスの一例を示すシーケンスチャート
【図５】本発明の第１から第３の実施の形態に係るＭＮの構成の一例を示す構成図
【図６】本発明の第１から第３の実施の形態における優先度値のオブジェクトの一例を示すメッセージフォーマット
【図７】本発明の第１から第３の実施の形態に係るＳＧの構成の一例を示す構成図
【図８】本発明の第２の実施の形態における処理シーケンスの一例を示すシーケンスチャート
【図９】本発明の第２の実施の形態に係るＡＤ（基地局）の構成の一例を示す構成図
【図１０】本発明の第１から第３の実施の形態におけるＰＢＵメッセージの一例を示すメッセージフォーマット
【図１１】本発明の第１の実施の形態における拡張されたＥＡＰメッセージの一例を示すメッセージフォーマット
【図１２】本発明の第１の実施の形態における拡張AAA_Authorize_Ansメッセージの一例を示すメッセージフォーマット
【図１３】本発明の第３の実施の形態における処理シーケンスの一例を示すシーケンスチャート
【図１４】本発明の第３の実施の形態における他の処理シーケンスの一例を示すシーケンスチャート
【図１５】本発明の第３の実施の形態における他の処理シーケンスの一例を示すシーケンスチャート
【発明を実施するための形態】
【００１５】
＜第１の実施の形態＞
以下の第１から第３の実施の形態の説明において、数値、時間、構成、プロトコル、パラメータは本発明の理解のために与えられたものであり、本発明はこれらに限られるものではない。
【００１６】
本発明の第１の実施の形態におけるネットワーク構成の一例を図１に示す。図１に示すように、複数のアクセス技術を有する移動端末ＭＮ（Mobile Node）１００は、ＡＤ（Access Domain：アクセスドメイン）１１１を介してＡＳＤ（Application Service Domain：アプリケーションサービスドメイン）１１０からサービスを受けている。ＭＮ１００は、アクセスインタフェースのうちの１つのインタフェース（ここでは、インタフェース１とする）を用いてリンク１２１を通じてＢＳ（Base Station：ベースステーション）１０５を介してＡＤ１１１に接続している。ＡＤ１１１は、ＡＧ（Access Gateway：アクセスゲートウェイ）１０１及び、リンク１３１を通じたＳＧ（Service Gateway：サービスゲートウェイ）１０４を介してＡＳＤ１１０へのアクセスを提供する。
【００１７】
ある時点で、ＭＮ１００は他のアクセスドメインのＡＤ１１３を検出する。ある情報と基準（criteria）、例えばチャージレート、ＱｏＳ（Quality of Service）などに基づいて、ＭＮ１００はＡＤ１１３にハンドオーバすることを決定し、ＡＧ１０３を介してサービスにアクセスする。情報の取得やハンドオーバ決定の仕方についてＭＮ１００が異なる方法を有することは当業者にとって明らかである。例えば、ＭＮ１００は、ＡＤ１１１を通じて若しくは直接ＡＤ１１３を通じて情報を取得するメカニズムに基づいたＩＥＥＥ８０２．２１を用いることができる。
【００１８】
ＭＮ１００はＡＤ１１３への接続の構築(connection setup)を開始する。ＭＮ１００はリンク１２３を通じてＢＳ１０７を介してＡＤ１１３へ接続するためにインタフェース（ここでは、インタフェース２とする）を用いる。ＡＤ１１３は、ＡＧ１０３及びリンク１３２を通じたＳＧ１０４を介してＡＳＤ１１０へのアクセスを提供する。
【００１９】
ＡＤ１１３への接続の構築過程の間、ＭＮ１００はＡＤ１１１の圏外であり、ＡＤ１１２の圏内である新たな位置１００ａに移動するとする。ここで、位置１００ａは、ＡＤ１１１の圏内ではあるがＡＤ１１２と接続するのが好ましいような位置としてもよい。すなわち、ＡＤ１１１に対してＡＤ１１２がより好適な接続環境（例えば無線環境）を有するような位置としてもよい。
【００２０】
ＡＤ１１２はＡＤ１１１からのネットワーク主導型ハンドオーバをサポートするネットワークである。そのようなネットワークの一例としては３Ｇネットワークの２つのサブドメインである。ＡＤ１１１と同様、ＡＤ１１２もリンク１３３を通じてＡＧ１０２を介してＡＳＤ１１０へのアクセスを提供する。そのため、ネットワークはハンドオーバ処理を開始し、リンク１２５を通じてインタフェース１を用いてＡＤ１１２のＢＳ１０６に接続するようＭＮ１００に指示する。同時に、ネットワーク側のハンドオーバ手続き、例えばデータパス切り替えは実行される。
【００２１】
リンク１３１、１３２、１３３上において、モビリティ管理スキームに基づくネットワークが用いられ、例えばＰＭＩＰ（非特許文献１を参照）やＧＴＰ（General packet radio services Tunneling Protocol）などが用いられている。
【００２２】
図２はシステムの問題を説明するためのシグナリングシーケンスを示すものである。ここでは、リンク１３１、１３２、１３３には、スキームの一例としてＰＭＩＰｖ６が用いられている。混乱を避けるために、図２は抽象的な態様でのシグナリング制御のみを示し、それぞれのアクセスドメインが１つのエンティティで簡易化されている。実際のシグナリングにはより多くのメッセージ交換を行う多くのエンティティが必要とされることは当業者にとって自明である。
【００２３】
図２に示すように、まずＭＮ１００はＡＤ１１１に接続している（ステップＳ２００１）。この時点で、ＳＧ１０４はＡＤ１１１に対する位置登録情報（Binding Entry:バインディングエントリ）を有している（ステップＳ２００２）。このバインディングエントリを有しているため、ＳＧ１０４はＭＮ１００に対するデータ転送の仕方がわかる。なお、バインディングエントリとは、例えば非特許文献１に記載のBinding Cache Entryである。
【００２４】
ある時点で、ＭＮ１００がＡＤ１１３に接続することを決め、アタッチメントイベントを開始する（ステップＳ２００３）。このステップがいくつかのステップ、例えばＬ２（レイヤ２）接続の取得、認証処理などのステップを含むことは当業者にとって自明である。
【００２５】
ＭＮ１００のアタッチメントイベントを検出した後、ＡＤ１１３中のＭＡＧ(Mobile Access Gateway)、例えばＡＧ１０３は、ＬＭＡ(Local Mobility Anchor)エンティティ、例えばＳＧ１０４のバインディングエントリをプロキシＢＵ（ＰＢＵ：Proxy Binding Update）メッセージを用いて更新させる（ステップＳ２００４）。ＰＢＵメッセージのフォーマット及びＭＡＧ、ＬＭＡの一例は非特許文献１に定義されている。
【００２６】
このＰＢＵメッセージが、ＡＡＡ（Authentication Authorization and Accounting）サーバでの協議の後、ＳＧ１０４によって受け入れられれば、ＳＧ１０４におけるＭＮ１００のバインディングエントリが変更される。変更されると、ＡＤ１１３へのバインディングエントリがＳＧ１０４に保持される（ステップＳ２００５）。ＳＧ１０４はプロキシＢＡ（ＰＢＡ：Proxy Binding Acknowledge）メッセージによってＰＢＵに対する応答をする（ステップＳ２００６）。ＰＢＡの受信後、ＡＤ１１３はネットワーク側での接続が構築されると考える。
【００２７】
同時に、新たな位置１００ａへのＭＮ１００の移動（ステップＳ２００７）により、ＡＤ１１１とＡＤ１１２はネットワーク主導型ハンドオーバを開始する（ステップＳ２００８）。このステップがいくつかのステップ、例えばデータ転送、ネットワーク間でのパススイッチメッセージの交換など詳細に示されていないものを含むことは当業者にとって自明である。
【００２８】
ネットワーク主導型ハンドオーバ処理後、ＡＤ１１２中のＭＡＧ、例えばＡＧ１０２はデータパスを更新するために、ＬＭＡエンティティ、例えばＳＧ１０４にＰＢＵを送信する（ステップＳ２００９）。同様に、このＰＢＵがＳＧ１０４によって処理されると、バインディングエントリがＡＤ１１２に対するものに変更される（ステップＳ２０１０）。ＳＧ１０４はＰＢＡで変更を通知し（ステップＳ２０１１）、ＡＤ１１１とＡＤ１１２の間でネットワークハンドオーバ処理、例えばパス切り替え（データパススイッチ）がなされる（ステップＳ２０１２）。
【００２９】
同時期に、すべてが問題ないと考えているＡＤ１１３は、用意ができていることを知らせるため、ＭＮ１００にアタッチメントアック（Attachment Acknowledge）を送信する（ステップＳ２０１３）。この通知を受けると、ＭＮ１００はあるインタフェース１を介した古い接続の解放を開始する。現在のインタフェース１が既にＡＤ１１２へハンドオーバされているため、解放リクエストはＡＤ１１２に送信され（ステップＳ２０１４）、ＡＤ１１２はＬＭＡでのバインディングを削除するためにＳＧ１０４にＰＢＵを送信する（ステップＳ２０１５）。
【００３０】
上述のＰＢＵがＳＧ１０４によって処理されれば、ＭＮ１００についてのＳＧ１０４におけるすべてのバインディングエントリが消去される（ステップＳ２０１６）。これはＭＮ１００におけるサービス中断を生じさせる。
【００３１】
バインディングエントリの偶発的な変更を防止するため、ＰＭＩＰｖ６（非特許文献１参照）ではＡＴＴ（Access Technology Type）値の使用や、正確なアクションを得るためにＰＢＵ内にパラメータとしてインタフェースＩＤを使用することを提案している。しかし、以下のケースを解決することができない。ＡＤ１１１、１１２、１１３は、同じアクセス技術、すなわちすべて異なるＡＴＴ値を用いている。ＡＤ１１１とＡＤ１１２が異なる技術を有するが、ＭＮ１００は１つの物理的インタフェース、例えばＵＭＴＳ（Universal Mobile Telecommunications System）、ＬＴＥ（Long Term Evolution）などを用いてアクセスができる。ＭＮ１００は異なる物理的インタフェースを用いてＡＤ１１１とＡＤ１１２にアクセスする。ＭＮ１００は、要求された情報、例えばインタフェースＩＤ、ハンドオーバ情報などアクセスネットワークに提供することができない。そのため、非特許文献１の解法でも図２で述べられた問題が生じる。
【００３２】
図３は本発明をサポートするネットワーク構成の一例を示すものである。図３は図１で示されたネットワークの一部に焦点をあてており、付加的なエンティティ及び接続を説明するために、拡張されたＡＤ１１３とＡＳＤ１１０を含むものである。図１で示されるネットワークの状況が考慮されることは当業者にとって自明である。
【００３３】
図３に示すように、ＡＡＡプロキシ３０１はＡＤ１１３内に存在する。ＢＳ１０７はリンク３１１を通じてＡＡＡプロキシ３０１に接続している。ネットワークの内側、例えばＭＮ１００のホームドメインにＡＡＡサーバ３０３が存在する。ＡＡＡプロキシ３０１はリンク３１３を通じてＡＡＡサーバ３０３に接続している。ＡＡＡプロキシ３０１とＡＡＡサーバ３０３は、ＭＮ１００がＡＤ１１３への認証及び許可を受けるためのメカニズムを規定する。さらに、ＡＡＡサーバ３０３はリンク３１５を通じてＳＧ１０４にアクセスできる。リンク３１１、３１３、３１５上で実装されるプロトコルの例としては、ＲＡＤＩＵＳ（Remote Authentication Dial-In User Service）とＤｉａｍｅｔｅｒである。これらのリンクの転送プロトコルにおいて、ＭＮ１００はＥＡＰ（Extensible Authentication Protocol）のようなメカニズムを用いてＡＡＡサーバ３０３と直接通信する。
【００３４】
図４は図１及び図３に示されたネットワークでの本発明の処理シーケンスの一例を示すものである。図４に示すように、図２と同様、最初にステップＳ４００１、Ｓ４００２において、ＭＮ１００はＡＤ１１１を通じてサービスを受けており、ＳＧ１０４内のバインディングエントリはＡＤ１１１に対するものである。
【００３５】
ＭＮ１００はＡＤ１１３を発見し、接続することを決定する。そのため、ＭＮ１００は接続リクエストをＢＳ１０７に送信する（ステップＳ４００３）。接続リクエストがいくつかのサブステップ、例えばリンクレイヤでの提携、リンクレイヤ認証の開始などを伴うことは当業者にとって自明である。接続リクエストの一例は、ＭＮ１００からアクセスポイントへのＥＡＰＯＬ（Extensible Authentication Protocol over LAN）メッセージであり、その場合、ＡＤ１１３は例えばＩＥＥＥ８０２．１１などの無線アクセス技術を用いている。この接続リクエスト内に、ＭＮ１００はこの接続における優先度値（ＰＳＶ：Priority Setting Value）を示す。優先度値は、この接続は他の接続よりも優先度が高いことを示すものである。例えば、これはＥＡＰ（Extensible Authentication Protocol）メッセージ内の付加的なオブジェクト（項目）である。
【００３６】
なお、本発明のハンドオーバ処理方法において、上述した所定の情報が、所望するアクセスネットワークへの接続の優先度が他のアクセスネットワークへの接続の優先度より高いことを示す情報であることは、本発明の好ましい態様である。この構成により、所望するアクセスネットワーク以外のアクセスネットワークからのパス切り替え要求を排除することができる。なお、上述した所定の情報が、所望するアクセスネットワークへの接続の優先度が他のアクセスネットワークへの接続の優先度より高いことを示す情報であるとは、所定の情報に含まれる優先度値が、所定の値を超える値である状態をもって評価するものであってもよい。
【００３７】
接続リクエストは、ＭＮ１００のホームドメインに向けてＡＡＡ手続きをＢＳ１０７に行わせるためのトリガである。図４に示すように、接続リクエストは、ＡＡＡプロキシ３０１を介してＡＡＡサーバ３０３に送信されるＡＡＡリクエスト（ステップＳ４００４、Ｓ４００５）を含む。このメッセージの一例は、ＡＡＡサーバ３０３に送信されるＤｉａｍｅｔｅｒにおけるＭＮ１００からのＥＡＰメッセージである。そのメッセージ内に、ＭＮ１００によって示された優先度値が存在し、ＡＡＡサーバ３０３に伝達される。
【００３８】
なお、本発明の基地局において、上述した所定の情報が、所望するアクセスネットワークへの接続の優先度が他のアクセスネットワークへの接続の優先度より高いことを示す情報である場合、メッセージ生成手段が、新たな接続の認証を行う認証装置に認証を行わせるためのメッセージであって、所定の情報を含む認証要求メッセージを生成し、送信手段が、生成された認証要求メッセージを認証装置へ送信することは、本発明の好ましい態様である。この構成により、ＡＡＡ過程における保護によりセキュリティを保証することができる。
【００３９】
ＡＡＡサーバ３０３は、ＡＡＡリクエストを受信した（ステップＳ４００５）後、適当な認証及び許可の処理を実行する。この処理が成功すると、ＡＡＡサーバ３０３は、ＢＳ１０７に向けてＡＡＡ受信メッセージ（ＡＡＡ受信）を送信する（ステップＳ４００６、Ｓ４００７）。ＢＳ１０７は、接続受信メッセージ（接続受信）によってＭＮ１００に結果を通知する（ステップＳ４００８）。ネットワーク内でのＡＡＡメカニズム、例えばＥＡＰ方法に依存し、より多くのメッセージの交換がなされることは当業者にとって自明である。
【００４０】
このときＡＡＡサーバ３０３は、ＭＮ１００のエントリとともに格納された優先度値を保持する（ステップＳ４００９）。
【００４１】
ＢＳ１０７への接続が成功した後、ＭＮ１００のＩＤはＡＧ１０３に示され、ＡＤ１１３内においてＭＡＧエンティティとして振舞う（ステップＳ４０１０）。そのような処理の詳細が環境に依存することは当業者にとって自明である。例えば、非３ＧＰＰアクセスネットワークにおいては、ＡＧ１０３はｅＰＤＧになり、ＭＮのＩＤはトンネル構築処理、例えばＩＫＥｖ２処理の間に示される。または、ＡＧ１０３は以前のＡＡＡ処理からの情報に基づいてＢＳ１０７を介してＭＮのＩＤを直接取得することができる。
【００４２】
ＡＧ１０３はＳＧ１０４にＰＢＵメッセージ（プロキシＢＵ）を送信し（ステップＳ４０１１）、ＳＧ１０４はＰＭＩＰｖ６におけるＬＭＡエンティティとして振舞う。このＰＢＵメッセージは、ＭＮ１００の接続の許可のため、AAA_Authorize_Req（ステップＳ４０１２）を用いてＡＡＡサーバ３０３と協議することをＬＭＡに促すものである。このメッセージの一例は、Ｄｉａｍｅｔｅｒ  ＰＭＩＰｖ６アプリケーションメッセージである。これにより、ＡＡＡサーバ３０３はAAA_Authorize_Ans（ステップＳ４０１３）で応答し、ＭＮ１００と関連付けられた優先度値をＳＧ１０４へ渡す。
【００４３】
AAA_Authorize_Ansメッセージの受信により、ＳＧ１０４は、優先度値を関連付けてＡＤ１１３へのバインディングエントリを変更する（ステップＳ４０１４）。ＳＧ１０４はＰＢＡメッセージ（プロキシＢＡ）を通じてバインディングエントリの変更を知らせる（ステップＳ４０１５）。
【００４４】
ほぼ同時に、新たな位置１００ａへのＭＮ１００の移動（ステップＳ４０１６）により、ＡＤ１１１とＡＤ１１２はネットワーク主導型のハンドオーバ処理を開始する（ステップＳ４０１７）。これにより、ＡＤ１１２内のＭＡＧエイティティがＳＧ１０４にＰＢＵメッセージを送信する（ステップＳ４０１８）。しかし、登録されている優先度値に従って、ＳＧ１０４はこの要求を拒否し、その理由を示したＰＢＡ（エラー）で知らせる（ステップＳ４０１９）。
【００４５】
同時に、ＡＧ１０３はＭＮ１００のＬ３アタッチメント処理を終了する（ステップＳ４０２０）。この処理は、必要なレイヤ３パラメータを構成するためにＭＮ１００にＲＡ若しくはＤＨＣＰ（Dynamic Host Configuration Protocol）メッセージが送信される。この処理が成功すると、ＭＮ１００はインタフェース１を介してＡＤ１１２（あるいはＡＤ111）に解放要求メッセージを送信し（ステップＳ４０２１）、使用されていないリソースが解放される（ステップＳ４０２２）。
【００４６】
上述した処理シーケンスによれば、ＭＮ１００がスムーズなハンドオーバができ、サービスの中断を受けないことは明らかである。この方法の利点は、システム構造に対して影響をほとんど与えないことである。これにより、同じシステムメッセージが再利用でき、ＡＡＡ過程における保護によりセキュリティは保証される。
【００４７】
なお、本発明のハンドオーバ処理方法において、上述した所定の情報が、所望するアクセスネットワークへの接続の優先度が他のアクセスネットワークへの接続の優先度より高いことを示す情報である場合、メッセージを受信する所望するアクセスネットワークに配置された基地局が、新たな接続の認証を行う認証装置に所定の情報を含む認証要求メッセージを送信し、認証装置が、認証要求メッセージに基づいて新たな接続の認証を許可した後に、所望するアクセスネットワーク以外のアクセスネットワークの基地局からのパス切り替え要求を拒否させるために所定の情報を接続管理装置に通知することは、本発明の好ましい態様である。この構成により、ＡＡＡ過程における保護によりセキュリティを保証することができる。
【００４８】
また、本発明の他の処理シーケンスの一例についても図４を用いて示すことができる。この処理シーケンスでは、ステップＳ４００３においてＭＮ１００は優先度値を示さない。これにより、ＡＡＡサーバ３０３にはＭＮ１００のエントリと関連付けられた優先度値がない。すなわち、ステップＳ４００９が存在しない。その代わりに、ステップ４０１０において、ＭＮ１００がＡＧ１０３にＭＮ１００のＩＤを示すとき、ＭＮ１００はＩＤフォーマット内に優先度値を示す。例えば、ＭＮ１００のＩＤが非特許文献５に記載のＮＡＩ(Network Access Identifier)フォーマット内に示されれば（例えば、User@Home.Domain）、優先度値（ＰＳＶ: Priority Setting Value）は“PSV@User@Home.Domain”として示される。
【００４９】
そのようなフォーマットのＭＮ ＩＤを見つけたＡＧ１０３は、ＭＮ１００のＩＤから優先度値を抽出し、ＳＧ１０４に送られるＰＢＵ（ステップＳ４０１１）内に別のフィールドのオブジェクトとして優先度値を含める。優先度値を有するＰＢＵを受信すると、ＳＧ１０４はＡＡＡサーバ３０３に許可の要求を行う（ステップＳ４０１２、Ｓ４０１３）。成功すると、ＳＧ１０４は優先度値を関連付けてバインディングエントリを更新する（ステップＳ４０１４）。
【００５０】
この処理シーケンスの残りであるステップＳ４０１５からＳ４０２２は、先に述べたシーケンスと同様であるため説明を省略する。この方法の利点は、アクセスゲートウェイ以外のアクセスネットワーク内ノードに影響を与えないことである。
【００５１】
なお、本発明のハンドオーバ処理方法において、上述した所定の情報が、所望するアクセスネットワークへの接続の優先度が他のアクセスネットワークへの接続の優先度より高いことを示す情報である場合、生成されたメッセージが、所望するアクセスネットワークに配置された基地局に移動端末の識別情報を通知する際のメッセージであることは、本発明の好ましい態様である。この構成により、移動端末の識別情報と一緒に通知することができる。
【００５２】
次に、第１の実施の形態に係る移動端末ＭＮについて図５を用いて説明する。図５は本発明をサポートするＭＮの構成の一例を示す構成図である。図５に示すように、ＭＮは、ハンドオーバ制御部５０１と、複数の通信インタフェースであるインタフェース５０２及びインタフェース５０３とから構成されている。ハンドオーバ制御部５０１は、インタフェース５０２、５０３を介してこれらの通信インタフェースを制御、監視するものである。
【００５３】
また、ハンドオーバ制御部５０１は、端末主導型のハンドオーバが発生したときにハンドオーバのインタフェースを決める。同時に、ハンドオーバ制御部５０１は、内部のインタフェースハンドオーバあるいは異なるアクセスネットワーク間のハンドオーバが実行されるときに優先度値のオブジェクトを作成し、適切なメッセージなどを作成する。ハンドオーバ制御部５０１は、すべてのインタフェースから収集された情報、そしてユーザからの情報、他のプロトコルレイヤの入力情報、ＭＮ自身からの情報、例えば電源状態の情報に基づいて優先度値を決定する。
【００５４】
例えば、より通信状態のよいインタフェースあるいはアクセスネットワークをより高い優先度に設定する。また、より高速通信可能なインタフェースあるいはアクセスネットワークをより高い優先度に設定する。また、ＱｏＳサポートの厚いインタフェースあるいはアクセスネットワークをより高い優先度に設定する。また、ユーザの指定するインタフェースあるいはアクセスネットワークをより高い優先度に設定する。また、所定のプロトコルをサポートするインタフェースあるいはアクセスネットワークをより高い優先度に設定する（例えば、IEEE802.11にもとづくアクセスネットワーク）。また、バッテリ消費量の少ないインタフェースあるいはアクセスネットワークをより高い優先度に設定する。なお、バッテリ容量が多く残っているときはバッテリ消費が高くてもより高い優先度に設定するものであってもよい。なお、ここで説明したＭＮについては後述する第２、第３の実施の形態においても同様である。
【００５５】
なお、本発明の移動端末において、上述した所定の情報が、所望するアクセスネットワークへの接続の優先度が他のアクセスネットワークへの接続の優先度より高いことを示す情報、又は所望するアクセスネットワーク以外のアクセスネットワークへの接続の優先度が所望するアクセスネットワークへの接続の優先度より低いことを示す情報であることは、本発明の好ましい態様である。この構成により、所望するアクセスネットワーク以外のアクセスネットワークからのパス切り替え要求を排除することができる。
【００５６】
また、本発明の移動端末において、上述した所定の情報が、所望するアクセスネットワークへの接続の優先度が他のアクセスネットワークへの接続の優先度より高いことを示す情報である場合、メッセージ生成手段によって生成されたメッセージが、所望するアクセスネットワークに配置された基地局に移動端末の識別情報を通知する際のメッセージであることは、本発明の好ましい態様である。この構成により、移動端末の識別情報と一緒に通知することができる。
【００５７】
図６は優先度値のオブジェクトの一例を示すメッセージフォーマットの一例である。上述したように、優先度値は異なるメッセージタイプで伝えられる。そのため、ＴＬＶ（Type-Length-Value）の形式で定義され、ほとんどのプロトコルメッセージに適合でき、簡単に取り入れることができ、簡単に記述できる。
【００５８】
優先度値オブジェクトはTypeフィールド６０１から開始される。この値は優先度値のオブジェクトを伝えるプロトコルの番号付けスペース（Numbering space）に依存して変わる。例えば、ＥＡＰとＤｉａｍｅｔｅｒは、優先度値オブジェクトを識別するために異なるタイプ値を定義する。
【００５９】
Lengthフィールド１００２は、バイト単位での優先度値オブジェクト全体の長さを示すものである。このフィールドは、例えば２バイトの長さである。
【００６０】
Time Limitフィールド１００３は、この優先度値の有効性がどのくらいであるかを示すものである。例えば、それは１バイトの長さで、その値は優先度値が有効である時間を示す。２５５の値は優先度値がずっと有効であることを意味する。また、ゼロの値は優先度値が取り除かれることを意味する。すなわち、デフォルトに戻すことを意味する。
【００６１】
Obj-Typeフィールド１００４とObj Specific Valueフィールド１００５は、ペアで示される。１つの優先度値オブジェクト内で、１つ以上のペア、例えばObj-Typeフィールド１００４とObj Specific Valueフィールド１００５、Obj-Typeフィールド１００６とObj Specific Valueフィールド１００７が存在する。
【００６２】
Obj-Typeフィールド１００４は、１バイトの長さで、以下の値をとる。０ｘ０１：＝正を意味する優先度の値、０ｘ０２：＝負を意味する優先度の値、０ｘ０３：＝Obj-Specific Valueフィールドに記載されたアクセスタイプに対して、高い優先度を有する現在のアクセスタイプ、０ｘ０４：＝Obj Specific Valueフィールドに記載されたアクセスタイプに対して、低い優先度を有する現在のアクセスタイプ、０ｘ０５：＝Obj Specific Valueフィールドに記載されたインタフェースに対して、高い優先度を有する現在のインタフェース、０ｘ０６：＝Obj Specific Valueフィールドに記載されたインタフェースに対して、低い優先度を有する現在のインタフェース。
【００６３】
Obj Specific Valueフィールド１００５は、Obj-Typeフィールド１００４に従った値を含む。例えば、優先度値、アクセスタイプ、インタフェースＩＤなどである。
【００６４】
次に、第１の実施の形態に係る接続管理装置ＳＧについて図７を用いて説明する。図７は本発明のＳＧの一例を示す構成図である。図７に示すように、ＳＧはＰＳＶ管理部７０１、アドレス管理部７０２から構成されている。これらの２つの手段はインタフェース７０３でリンクされている。
【００６５】
ＰＳＶ管理部７０１は、ＭＮのアドレスのエントリごとにＰＳＶを管理するものである。これは、ＳＧ内でのＰＭＩＰにおける各バインディングキャッシュエントリがＰＳＶで関連付けられていることを意味する。ＰＳＶ管理部７０１は、上述したようにそれぞれのエントリにおける値を取得する。例えば、図４のステップＳ４０１３（ＮＡＩが適用される場合にはステップＳ４０１１）や後述する第２の実施の形態の図８のステップＳ８００４において取得する。なお、ＰＳＶを管理する単位としては、複数のアドレス組を単位とするものであってもよい。例えば、非特許文献２や３に示されるＰＤＮコネクション（PDN Connection）を単位とするものであってもよく、１つのＰＤＮコネクションに複数のアドレスタイプを有するような場合に、複数アドレスごとのエントリを一元化することができ、管理負担を低減することができる。
【００６６】
アドレス管理部７０２は、ＭＮにおけるアドレスバインディングキャッシュエントリを管理するものである。アドレス管理部７０２は、関連付けられたＰＳＶに基づいてアドレスバインディングキャッシュを扱う。例えば、新たなＰＢＵ内に示されたアドレスが格納されたアドレスより大きいＰＳＶを有する場合にのみエントリを置き換える。ＰＢＵからのアドレスと格納されたアドレスのＰＳＶはインタフェース７０３を介してＰＳＶ管理部７０１によって管理される。なお、ここで説明したＳＧについては後述する第２、第３の実施の形態においても同様である。
【００６７】
なお、本発明の接続管理装置において、上述した所定の情報が、所望するアクセスネットワークへの接続の優先度が他のアクセスネットワークへの接続の優先度より高いことを示す情報、又は所望するアクセスネットワーク以外のアクセスネットワークへの接続の優先度が所望するアクセスネットワークへの接続の優先度より低いことを示す情報であることは、本発明の好ましい態様である。この構成により、所望するアクセスネットワーク以外のアクセスネットワークからのパス切り替え要求を排除することができる。
【００６８】
また、本発明の接続管理装置において、上述した所定の情報が、所望するアクセスネットワークへの接続の優先度が他のアクセスネットワークへの接続の優先度より高いことを示す情報である場合、メッセージを受信する所望するアクセスネットワークに配置された基地局によって送信された所定の情報を含む認証要求メッセージを新たな接続の認証を行う認証装置が受信し、認証要求メッセージに基づいて新たな接続の認証を許可した後に、受信手段が、所望するアクセスネットワーク以外のアクセスネットワークの基地局からのパス切り替え要求を拒否させるための所定の情報を認証装置から受信することは、本発明の好ましい態様である。この構成により、ＡＡＡ過程における保護によりセキュリティを保証することができる。
【００６９】
また、本発明の接続管理装置において、上述した所定の情報が、所望するアクセスネットワーク以外のアクセスネットワークへの接続の優先度が所望するアクセスネットワークへの接続の優先度より低いことを示す情報である場合、判断手段が、移動端末が現在接続しているアクセスネットワークに配置された基地局から得られる所定の情報を関連付けて、所望するアクセスネットワーク以外のアクセスネットワークへのパス切り替えの処理を行い、その後、所望するアクセスネットワークに配置された基地局からのパス切り替え要求メッセージに基づいてパス切り替えの処理を行い、受信手段が、所定の情報を含むパス切り替え要求メッセージを所望するアクセスネットワーク以外のアクセスネットワークに配置された基地局から受信した場合に、判断手段が、所定の情報に基づいて、所望するアクセスネットワーク以外のアクセスネットワークの基地局からのパス切り替え要求を拒否することは、本発明の好ましい態様である。この構成により、所望するアクセスネットワークへのパス切り替えを確実に行うことができる。
【００７０】
＜第２の実施の形態＞
図８は本発明の他の処理シーケンスの一例を示すものである。なお、第２の実施の形態におけるネットワーク構成も第１の実施の形態におけるネットワーク構成と同様であるため図１を用いて説明する。図８に示すように、ＭＮ１００はＡＤ１１１を介してＳＧ１０４からサービスを受けており、ＳＧ１０４はＡＤ１１１へのバインディングエントリを有している（ステップＳ８００１、Ｓ８００２）。
【００７１】
ＭＮ１００は、ＡＤ１１３を見つけ、ハンドオーバをしようと決定し、ハンドオーバ前に、ＭＮ１００はこのリンクは優先度が低い旨を示すアタッチメント更新メッセージ（アタッチメント更新）をＡＤ１１１に送信する（ステップＳ８００３）。優先度が低い旨を示すアタッチメント更新メッセージを受信すると、ＡＤ１１１のＭＡＧエンティティは、低い優先度が示されたＰＢＵをＳＧ１０４に送信する（ステップＳ８００４）。例えば、付加的な優先度値（ＰＳＶ）のオブジェクトを有するＰＢＵである。
【００７２】
なお、本発明のハンドオーバ処理方法において、上述した所定の情報が、所望するアクセスネットワーク以外のアクセスネットワークへの接続の優先度が所望するアクセスネットワークへの接続の優先度より低いことを示す情報であることは、本発明の好ましい態様である。この構成により、所望するアクセスネットワーク以外のアクセスネットワークからのパス切り替え要求を排除することができる。
【００７３】
このＰＢＵを受信すると、ＳＧ１０４はバインディングエントリを更新し、そのエントリに低い優先度を関連付ける（セットする）（ステップＳ８００５）。
【００７４】
同時に、ＭＮ１００はアタッチメントイベントによってＡＤ１１３に接続の構築を開始する（ステップＳ８００６）。このアタッチメントイベントがいくつかのサブステップ、例えばリンクレイヤの認証などを有することは当業者であれば自明である。ＡＤ１１３はアタッチメントイベントによって促され、バインディングエントリを更新するためにＳＧ１０４にＰＢＵを送信する（ステップＳ８００７）。このＰＢＵは特別な優先度値を含まず、この場合、通常の優先度と考えられる。そのため、ＳＧ１０４はＡＤ１１３に対するバインディングエントリを更新し、このエントリに通常の優先度を関連付ける（ステップＳ８００８）。ＳＧ１０４はプロキシＢＡ（ＰＢＡ）で結果をＡＤ１１３に知らせる（ステップＳ８００９）。
【００７５】
同時に、ＭＮ１００が新たな位置１００ａに移動する（ステップＳ８０１０）と、ネットワークはネットワーク主導型のハンドオーバ処理をするようＡＤ１１１及びＡＤ１１２に促す（ステップＳ８０１１）。ネットワーク主導型のハンドオーバの処理中に、ＡＤ１１１は、コンテキスト転送の間で、関連付けられた低い優先度値をＡＤ１１２に知らせる（ステップＳ８０１１）。
【００７６】
ＡＤ１１２は低い優先度を示すプロキシＢＵ（ＰＢＵ）をＳＧ１０４に送信する（ステップＳ８０１２）。この低い優先度値を含むＰＢＵは、通常の優先度で関連付けられたＳＧ１０４内のバインディングエントリを変更することに失敗する。そのため、ＳＧ１０４はエラーを伝えるためにＡＤ１１２にＰＢＡ（エラー）を送信する（ステップＳ８０１３）。
【００７７】
同時に、ＡＤ１１３は、ＭＮ１００へのアタッチメントアックによって接続が成功したことを知らせる（ステップＳ８０１４）。アタッチメントアックがＲＡ若しくはＤＨＣＰメッセージの形式になり得ることは当業者にとって自明である。
【００７８】
ＭＮ１００は、ＡＤ１１２にインタフェース１を介して解放リクエストを送信する（ステップＳ８０１５）。これにより、ＡＤ１１１とＡＤ１１２は不必要なリソースを解放することができる（ステップＳ８０１６）。
【００７９】
上述した処理もまた、ＭＮ１００がサービスの中断なしにスムーズなハンドオーバをすることができる。この方法の利点は、端末主導型のハンドオーバのシグナリングに変更がないことである。ＭＮは新たな接続をするのに通常の手続きを実行すればよく、処理に影響を与えない。ＭＮは優先度値をセットすることを決定することもできる。例えば、新たな接続の無線リンクを検出した後である。これは、不要なシグナリングを抑えることができる。また、ユーザの意思により、例えばユーザが通常の値又はそれ以上に優先度値を増加させることを決定すれば、ＭＮはいつでも優先度を修正することが可能である。
【００８０】
なお、あらかじめＭＮが異なるインタフェースやアクセスネットワークへのハンドオーバを実施する可能性が高いことを認識しているような場合、例えば大容量通信インタフェースを有しているが、その時点ではそれ以外のインタフェース（ここではインタフェースＡとよぶ）を用いて通信を行うような場合は、インタフェースＡを介して接続（アタッチ）する際に、上記示したのと同様に、低い優先度値をアタッチメントメッセージを用いて通知するものであってもよい。これによって、ハンドオーバ時にアタッチメント更新メッセージを送信する必要がなくなり、ハンドオーバ処理の低減とひいてはハンドオーバ時間の短縮を図ることができる。
【００８１】
なお、本発明のハンドオーバ処理方法において、上述した所定の情報が、所望するアクセスネットワーク以外のアクセスネットワークへの接続の優先度が所望するアクセスネットワークへの接続の優先度より低いことを示す情報である場合、接続管理装置が、移動端末が現在接続しているアクセスネットワークに配置された基地局から得られる所定の情報を関連付けて、所望するアクセスネットワーク以外のアクセスネットワークへのパス切り替えの処理を行い、その後、所望するアクセスネットワークに配置された基地局からのパス切り替え要求メッセージに基づいてパス切り替えの処理を行った後、所定の情報を含むパス切り替え要求メッセージを所望するアクセスネットワーク以外のアクセスネットワークに配置された基地局から受信した場合に、所定の情報に基づいて、所望するアクセスネットワーク以外のアクセスネットワークの基地局からのパス切り替え要求を拒否することは、本発明の好ましい態様である。この構成により、所望するアクセスネットワークへのパス切り替えを確実に行うことができる。
【００８２】
次に、第２の実施の形態に係るＡＤについて図９を用いて説明する。図９はＡＤ１１１とＡＤ１１２の構成の一例を示す構成図である。これは図８に示されるような処理をサポートする。以下ではＡＤ１１１、ＡＤ１１２をＡＤとして説明する。
【００８３】
図９に示すように、ＡＤは３つの構成要素からなり、ＰＳＶ管理部９０１、ハンドオーバ制御部９０２、モビリティ管理部９０３から構成されている。
【００８４】
ＰＳＶ管理部９０１は、ＡＤに関連付けられたＭＮのＰＳＶを維持するものである。ＰＳＶは、例えば図８のステップＳ８００３に示すように、ＭＮとＡＤとの間のシグナリングを通じて取得する。
【００８５】
モビリティ管理部９０３は、ＭＮのモビリティ管理、例えばＳＧにＰＢＵを送信することを行っている。モビリティ管理部９０３は、ＰＢＵ内に、インタフェース９０５を介してＰＳＶ管理部９０１から得たＭＮに関連付けられたＰＳＶを挿入する。
【００８６】
ハンドオーバ制御部９０２は、ＭＮにおけるネットワーク主導型のハンドオーバの制御を担っている。例えば、ハンドオーバ制御部９０２は、新たなＡＤ、例えばＡＤ１１２を選択したり、新たなＡＤ、例えばＡＤ１１２にアクセスコンテキストを転送したりする。現在接続しているＡＤ、例えばＡＤ１１１のハンドオーバ制御部９０２は、コンテキストを転送する際にＭＮに関連付けられたＰＳＶを含ませる。ＰＳＶはインタフェース９０４を介してＰＳＶ管理部９０１から得られる。
【００８７】
ＡＤ１１２でのハンドオーバ制御部９０２がコンテキストを受信した際、ハンドオーバ制御部９０２は、ＰＳＶを回収し、インタフェース９０４を介してＰＳＶ管理部９０１にＰＳＶを渡す。
【００８８】
ここで、ステップＳ８００７（ＮＡＩが適用される場合には第１の実施の形態のステップＳ４０１１）でのＰＢＵのメッセージフォーマットの一例を図１０に示す。
【００８９】
図１０に示すように、ＰＢＵヘッダ１００１とＰＢＵコンテント１００２は、非特許文献１に定義されているものに従う。ＰＳＶオブジェクト１００３は図６に示すものである。ＰＳＶオブジェクトは必要なときにＰＢＵコンテント１００２内に置かれることも当業者であれば自明である。
【００９０】
図１１は第１の実施の形態のステップＳ４００３、Ｓ４００４、Ｓ４００５で用いられる拡張されたＥＡＰメッセージのメッセージフォーマットの一例を示すものである。図１１に示すように、ＥＡＰヘッダ１１０１は非特許文献４に定義されているである。ＥＡＰ法オブジェクト１１０２は、ＥＡＰメッセージ、例えばＥＡＰ−ＡＫＡメッセージで運ばれる方法明記オブジェクトである。ＰＳＶオブジェクト１１０３は図６に示すものである。
【００９１】
図１２は第１の実施の形態のステップＳ４０１３におけるＳＧへのＡＡＡサーバ３０３からの拡張AAA_Authorize_Ansメッセージのメッセージフォーマットの一例を示すものである。図１２に示すように、ＡＡＡヘッダ１２０１とＡＡＡコンテント１２０２は、非特許文献４で定義されているように、ＡＡＡサーバとＬＭＡとの間の相互作用によって要求されるプロトコルのものと同じである。ＰＳＶオブジェクト１２０３は図６に示すものである。ＰＳＶオブジェクト１２０３がＡＡＡプロトコルのＴＬＶ（Type Length Value）オブジェクトの一部になることは当業者にとって自明である。
【００９２】
＜第３の実施の形態＞
上述した第１、第２の実施の形態において、ＡＤ１１１、ＡＤ１１２、ＡＤ１１３は一般的なネットワークとして示されている。そのため、特別な環境の場合においては、本発明の処理を環境に適合させる必要がある。図１３は実際のネットワークでの処理シーケンスの一例を示している。この例では、ＡＤ１１１とＡＤ１１２は３Ｇネットワークの異なるサブドメインであり、その３Ｇネットワークは異なるｅＮｏｄｅＢ（１３０３、１３０５）と異なるＳＧ（１３０９、１３１１）を有する。ＡＤ１１３は、３Ｇネットワークと相互に作用する非３ＧＰＰ ＩＰアクセス１３２１である。サービスは、上述した実施の形態のＳＧに相当するＰＤＮ ＧＷ１３１３を介してＭＮ１３０１に供給される。詳細な構成の例が非特許文献２、３に示されている。
【００９３】
図１３に示すように、ＭＮ１３０１が、ソースｅＮｏｄｅＢ１３０３とソースＳＧ１３０９を通じてＰＤＮ ＧＷ１３１３からのサービス受信を開始する（ステップＳ１３００１）。
【００９４】
ある時点で、ＭＮ１３０１は非３ＧＰＰ ＩＰアクセス１３２１を見つけ、ハンドオーバを開始することを決定する（ステップＳ１３００２）。ＭＮ１３０１はアクセス認証を実行することによって処理を開始し（ステップＳ１３００３）、これらのメッセージ交換がＭＮ１３０１のホームドメインのＨＳＳ/ＡＡＡ１３１５へ非３ＧＰＰ ＩＰアクセス１３２１を介して転送される（ステップＳ１３００４）。認証メッセージの交換の間、ＭＮ１３０１はネットワークに優先度値（ＰＳＶ）を示す。これは、例えばＨＳＳ/ＡＡＡ１３１５と交換されるＥＡＰメッセージ内の付加的なオブジェクトに含まれる。この後、ＨＳＳ/ＡＡＡ１３１５はＭＮのＩＤに関連付けて優先度値を保持する。
【００９５】
非３ＧＰＰ  ＩＰアクセス１３２１へのハンドオーバ対象となるＰＤＮコネクションが指定される（例えば、ＰＤＮコネクションＩＤやＩＰアドレス／プレフィクス情報などのＰＤＮコネクション識別情報が、アクセス認証（あるいはこれをアタッチ処理と呼ぶこともある）に含まれる）場合、ＨＳＳ／ＡＡＡ１３１５は、ＭＮのＩＤとＰＤＮコネクション識別情報に関連付けて優先度値を保持する。これにより、所定のＰＤＮコネクションだけをハンドオーバ対象とすることができ、それ以外のＰＤＮコネクションをハンドオーバ元アクセスネットワークに残しておくことができる。すなわち、本来ハンドオーバ元アクセスネットワークＡＤ１１１あるいは１１２のコネクションはＡＤ１１３へのハンドオーバとともに全て切断されるところを、ハンドオーバ対象のＰＤＮコネクションを指定し、かつ優先度値をＭＮのＩＤと指定されたＰＤＮコネクション識別情報に関連付けて管理することで、ハンドオーバ対象外のＰＤＮコネクションがハンドオーバ元アクセスに残る場合は、ハンドオーバ元アクセスネットワークからの切断を行わないようにすることができる。これにより、使用中にも係らずハンドオーバ元アクセスに残るべきＰＤＮコネクションの切断を回避することができ、ユーザ利便性を損なうことなくハンドオーバ処理を実施することができる。
【００９６】
ＭＮ１３０１はＬ３（レイヤ３）アタッチメントの実行を継続する（ステップＳ１３００５）。この場合、例えば、非３ＧＰＰ ＩＰアクセス１３２１が信用できるネットワークであれば、アタッチメントはＲＳメッセージであり、非３ＧＰＰ ＩＰアクセス１３２１が信用できないネットワークであれば、アタッチメントはｅＰＤＧと交わすＩＰＳｅｃトンネル構築メッセージ、例えばＩＫＥｖ２である。なお、信用できないネットワークとは、例えば非特許文献３に記載のUntrusted Non-3GPP IP Accessのことである。
【００９７】
このレイヤ３アタッチメントを受信することにより、非３ＧＰＰ ＩＰアクセス１３２１は、必要であれば、ゲートウェイ制御構築（Gateway control establishment）処理を実行する（ステップＳ１３００６）。例えば、セッション構築に関するＰＣＲＦ（Policy and Charging Rules Function）へ接触（コンタクト）する。非３ＧＰＰ ＩＰアクセス１３２１のＭＡＧエンティティ、例えばｅＰＤＧは、バインディングエントリ更新に関してＰＤＮ ＧＷ１３１３にプロキシＢＵ（ＰＢＵ）を送信する（ステップＳ１３００７）。
【００９８】
ＰＢＵの受信により、ＰＤＮ ＧＷ１３１３は関連するポリシルールを得る（ステップＳ１３００８）、例えばポリシ及び課金ルールに関するＰＣＲＦに接触（コンタクト）する。また、ＰＤＮ ＧＷ１３１３は、バインディングエントリの更新の許可のためＨＳＳ/ＡＡＡ１３１５に接触する（ステップＳ１３００９）。この許可の間に、ＨＳＳ/ＡＡＡ１３１５は、前もってＭＮ１３０１によって示された優先度値をＰＤＮ ＧＷ１３１３に知らせる。そのため、ＰＤＮ ＧＷ１３１３は、優先度を関連付けてバインディングエントリを非３ＧＰＰ ＩＰアクセス１３２１に対するものへ更新する。ＰＤＮ ＧＷ１３１３は、バインディングエントリの更新を知らせるために、非３ＧＰＰ ＩＰアクセス１３２１にプロキシＢＡ（ＰＢＡ）を送信する（ステップＳ１３０１０）。
【００９９】
なお、ＰＤＮ ＧＷ１３１３は、ＰＣＲＦから取得した情報にもとづいて、優先度を修正することもできる。例えば、ＰＦにおいてＱｏＳや課金の観点から、そのＰＤＮコネクションをハンドオーバ先アクセスネットワークで確立するのが望ましくない場合（例えば、ネットワークが混雑していたり、ネットワークの静的あるいは動的な特性から所定のＱｏＳを保証できないと判断されたり、料金が高額であることが判断されるなどの場合）、ＰＣＲＦはＰＤＮ ＧＷ１３１３に優先度値を低減させるよう指示する。ここでＰＣＲＦは具体的な修正値を提示してもよいし、あらたな優先度値を提示してもよい。また、修正された優先度値はＰＤＮ ＧＷ１３１３がＨＳＳ／ＡＡＡ１３１５に通知して値を更新させてもよいし、ＰＣＲＦがＨＳＳ／ＡＡＡ１３１５に通知して値を更新させてもよい。
【０１００】
また、こうした優先度の修正は、ＡＡＡサーバが行うものであってもよく、その場合、例えばローミング契約などにもとづいて修正を実施するか判断される。
【０１０１】
ほぼ同時に、ＭＮ１３０１は新たな位置１００ａに移動する（ステップＳ１３０１１）。これにより、ソースｅＮｏｄｅＢ１３０３はターゲットｅＮｏｄｅＢ１３０５にハンドオーバしようとする（ステップＳ１３０１２）。ハンドオーバの実行は、ターゲットｅＮｏｄｅＢ１３０５に向けてダウンリンクデータを送信することで行われる（ステップＳ１３０１３）。あるいは、ソースｅＮｏｄｅＢ１３０３が、ＭＭＥ１３０７にハンドオーバ要求（Handover Required）メッセージを送信して、ＭＭＥ１３０７がソース／ターゲットｅＮｏｄｅＢの仲介を行うものであってもよい。
【０１０２】
ＭＮ１３０１へのダウンリンクデータはＰＤＮ ＧＷ１３１３からＭＮ１３０１へ非３ＧＰＰ ＩＰアクセス１３２１を通じて送信される（ステップＳ１３０１４）。これは、ＰＤＮ ＧＷ１３１３が既に更新されたバインディングエントリを有しているためである。ＭＮ１３０１からのアップリンクデータは、ターゲットｅＮｏｄｅＢ１３０５とソースＳＧ１３０９を介してＰＤＮ ＧＷ１３１３に送信される（ステップＳ１３０１５）。これは、ＭＮ１３０１が非３ＧＰＰ ＩＰアクセス１３２１から確認通知（コンファメーション）を受信していないためであり、３Ｇインタフェースをまだ使用しているためである。
【０１０３】
ターゲットｅＮｏｄｅＢ１３０５は、パス切り替えリクエストをＭＭＥ１３０７に送信する（ステップＳ１３０１６）。ＭＭＥ１３０７は、ターゲットＳＧ１３１１にベアラ生成リクエストを送信する（ステップＳ１３０１７）。ターゲットＳＧ１３１１は、バインディングエントリを更新するためにＰＤＮ ＧＷ１３１３にプロキシＢＵ（ＰＢＵ）を送信する（ステップＳ１３０１８）。このＰＢＵは、ＰＤＮ ＧＷ１３１３内のバインディングエントリが高い優先度値を有しているため拒絶される。
【０１０４】
そのため、ＰＤＮ ＧＷ１３１３は、その理由を示したエラーコードを有するＰＢＡ（エラー）をターゲットＳＧ１３１１に送信する（ステップＳ１３０１９）。ターゲットＳＧ１３１１は、ＭＭＥ１３０７にエラーコードを有するベアラ生成レスポンスを送信する（ステップＳ１３０２０）。ＭＭＥ１３０７は、パス切り替えリクエストアックによりターゲットｅＮｏｄｅＢ１３０５にエラーを知らせる（ステップＳ１３０２１）。ターゲットｅＮｏｄｅＢ１３０５は、リソースの解放を開始することを決定し、ソースｅＮｏｄｅＢ１３０３はターゲットｅＮｏｄｅＢ１３０５からの受信後に失敗したことに気づく（ステップＳ１３０２２）。
【０１０５】
ほぼ同時に、非３ＧＰＰ ＩＰアクセス１３２１（あるいはｅＰＤＧ）は、ＭＮ１３０１にレイヤ３アタッチメント終了メッセージを送信する（ステップＳ１３０２３）。このメッセージは、ＲＡ若しくはＤＨＣＰメッセージの形式になり得る。このメッセージを受信した後、ＭＮ１３０１はデータを送信するインタフェースを切り替え、ＰＤＮ ＧＷ１３１３に向けてデータを送信するため非３ＧＰＰ ＩＰアクセス１３２１を用いる（ステップＳ１３０２４）。
【０１０６】
図１４は本発明の他の処理シーケンスの一例を示すものである。この処理シーケンスは、図１３に示すものとほとんど同一のメッセージ交換のシーケンスである。しかし、ステップＳ１４００３において、ＭＮ１４０１は優先度値の情報を含めない。その代わりに、ＭＮ１４０１はレイヤ３アタッチメントのメッセージ内に優先度値を含める（ステップＳ１４００４）。例えば、このメッセージは、非３ＧＰＰ ＩＰアクセス１４２１が信用できるか否かによって、ＲＳ、ＩＫＥ、若しくはＩＫＥｖ２メッセージに優先度値のオブジェクトを設けたものになり得る。
【０１０７】
非３ＧＰＰ ＩＰアクセス１４２１（ｅＰＤＧ）は、ＰＤＮ ＧＷ１４１３に送信されるプロキシＢＵ（ＰＢＵ）に優先度値を含める（ステップＳ１４００５）。これにより、ＰＤＮ ＧＷ１４１３はバインディングエントリを更新し、そのエントリに優先度値を関連付ける。
【０１０８】
処理シーケンスの残りは図１３に示すものと同様である。ＭＮ１４０１がこの処理シーケンスによりスムーズなハンドオーバをすることができることは明らかである。
【０１０９】
図１５は本発明の他の処理シーケンスを示すものである。処理シーケンスにおけるエンティティは図１３及び図１４に示すものと同じである。ＭＮ１５０１は、ソースｅＮｏｄｅＢ１５０３及びソースＳＧ１５０９に接続を開始する（ステップＳ１５００１）。ＭＮ１５０１が非３ＧＰＰ ＩＰアクセス１５２１にハンドオーバすることを決定する（ステップＳ１５００２）と、ＭＮ１５０１はソースＳＧ１５０９にＬ３（レイヤ３）更新メッセージを３Ｇインタフェースで送信する（ステップＳ１５００３）。レイヤ３更新メッセージにおいて、ＭＮ１５０１は３Ｇ接続の優先度を低くしたい旨を示す。
【０１１０】
このＬ３更新メッセージを受信後、ソースＳＧ１５０９は、ＭＭＥ１５０７にベアラ更新メッセージを送信する（ステップＳ１５００４）。そのメッセージには優先度値が低く設定されていることが示されている。このベアラ更新メッセージは、ベアラ生成レスポンスメッセージの形式になる。
【０１１１】
同時に、ソースＳＧ１５０９は、自身に対するバインディングエントリの優先度を低くするためにＰＤＮ ＧＷ１５１３にＰＢＵを送信する（ステップＳ１５００５）。
【０１１２】
ＭＮ１５０１は、アクセス認証を開始して、非３ＧＰＰ ＩＰアクセス１５２１との接続構築を開始する（ステップＳ１５００６）。ステップＳ１５００６からステップＳ１５００９は、接続構築処理の一部であり、図１３のステップＳ１３００３からステップＳ１３００６までのものと同一である。
【０１１３】
非３ＧＰＰ ＩＰアクセス１５２１のＭＡＧエンティティ（あるいはｅＰＤＧ）によって送信されたＰＢＵ（ステップＳ１５０１０）は特別な優先度値を含まない。そのため、ＰＤＮ ＧＷ１５１３によってデフォルトの優先度として扱われる。これにより、ＰＤＮ ＧＷ１５１３は、存在するバインディングエントリを非３ＧＰＰ ＩＰアクセス１５２１に対するものに替え、通常の優先度により関連付ける。
【０１１４】
ＭＮ１５０１が新たな位置に移動し（ステップＳ１５０１１）、ソースｅＮｏｄｅＢ１５０３がターゲットｅＮｏｄｅＢ１５０５に向けてハンドオーバを開始する（ステップＳ１５０１２）。ステップＳ１５０１２からステップＳ１５０１７までは、ネットワーク主導型のハンドオーバの一部であり、図１３のステップＳ１３０１２からステップＳ１３０１６と同一である。
【０１１５】
ターゲットｅＮｏｄｅＢ１５０５からパス切り替えリクエストを受信する（ステップＳ１５０１７）と、ＭＭＥ１５０７は、低い優先度を示す優先度値を有するベアラ生成リクエストをターゲットＳＧ１５１１に送信する（ステップＳ１５０１８）。ターゲットＳＧ１５１１はその同じ優先度値を有するＰＢＵをＰＤＮ ＧＷ１５１３に送信する（ステップＳ１５０１９）。
【０１１６】
ＰＤＮ ＧＷ１５１３は受信したＰＢＵを優先度値に基づいて拒絶する。具体的には、格納されたバインディングエントリは通常の優先度値を関連付けられているが、受信したＰＢＵは低い優先度値を有している。そのため、ＰＤＮ ＧＷ１５１３はエラーを示すＰＢＡで応答する（ステップＳ１５０２０）。残りの処理、例えばステップＳ１５０２１からステップＳ１５０２５までの処理は、図１３のステップＳ１３０２０からステップＳ１３０２４までの処理と同様である。
【０１１７】
なお、先の実施の形態で示された発明は、あらかじめ決められた状態が満たされる限り、すなわち、ＡＤ１１１とＡＤ１１２がネットワーク主導型のハンドオーバをサポートし、ＡＤ１１３が端末主導型のハンドオーバをサポートする限り、あらゆるネットワークコンビネーションのタイプに適用できる。解決には特に以下のセッティングでうまくいく。
【０１１８】
ＡＤ１１１とＡＤ１１２がＵＭＴＳネットワークであり、ＡＤ１１３がＬＴＥネットワークである。ＡＤ１１１とＡＤ１１２がＵＭＴＳネットワークであり、ＡＤ１１３がＩＭＴ−Ａｄｖａｎｃｅｄネットワークである。ＡＤ１１１とＡＤ１１２が３ＧＰＰネットワークであり、ＡＤ１１３が非３ＧＰＰネットワーク、例えばＷｉＭＡＸ、ＷＬＡＮ（Wireless Local Area Network）、３ＧＰＰ２などである。ＡＤ１１１とＡＤ１１２が非３ＧＰＰネットワークであり、ＡＤ１１３が３ＧＰＰネットワーク（例えばＵＭＴＳ、ＬＴＥ、ＩＭＴ−Ａｄｖａｎｃｅｄネットワークのいずれか、あるいはいくつかの混合ネットワーク）である。
【０１１９】
先の実施の形態において、ＰＭＩＰｖ６は１つの例を説明するために用いられている。しかし、モビリティスキームを管理する他のネットワークが用いられる（例えば、ＧＴＰなどが用いられる）場合でも、その解法が適用できることは当業者にとって自明である。
【０１２０】
なお、上記の本発明の実施の形態の説明で用いた各機能ブロックは、典型的には集積回路であるＬＳＩ（Large Scale Integration）として実現される。これらは個別に１チップ化されてもよいし、一部又はすべてを含むように１チップ化されてもよい。なお、ここでは、ＬＳＩとしたが、集積度の違いにより、ＩＣ（Integrated Circuit）、システムＬＳＩ、スーパーＬＳＩ、ウルトラＬＳＩと呼称されることもある。
【０１２１】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１２２】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【産業上の利用可能性】
【０１２３】
本発明の移動端末のハンドオーバ処理方法、その方法によって用いられる移動端末、接続管理装置及び基地局は、サービスの中断を受けずにスムーズなハンドオーバをすることができ、所望するハンドオーバを行うことができるため、移動端末のハンドオーバを制御する主体が複数存在し、それぞれの制御主体による移動端末のハンドオーバが同時期に発生する場合の移動端末のハンドオーバ処理方法、その方法によって用いられる移動端末、接続管理装置及び基地局に関する。
【図１】
2010026740.tif 000003
【図２】
2010026740.tif 000004
【図３】
2010026740.tif 000005
【図４】
2010026740.tif 000006
【図５】
2010026740.tif 000007
【図６】
2010026740.tif 000008
【図７】
2010026740.tif 000009
【図８】
2010026740.tif 000010
【図９】
2010026740.tif 000011
【図１０】
2010026740.tif 000012
【図１１】
2010026740.tif 000013
【図１２】
2010026740.tif 000014
【図１３】
2010026740.tif 000015
【図１４】
2010026740.tif 000016
【図１５】
2010026740.tif 000017
【手続補正書】
【提出日】平成23年3月3日(2011.3.3)
【手続補正１】
【補正対象書類名】明細書
【補正対象項目名】全文
【補正方法】変更
【補正の内容】
【発明の詳細な説明】
【技術分野】
【０００１】
本発明は、移動端末のハンドオーバを制御する主体が複数存在し、それぞれの制御主体による移動端末のハンドオーバが同時期に発生する場合の移動端末のハンドオーバ処理方法、その方法によって用いられる移動端末、接続管理装置及び基地局に関する。
【背景技術】
【０００２】
大規模ネットワークのほとんどは、所定のモビリティスキームによって管理されるネットワークである。例えば、ＰＭＩＰ（Proxy Mobile Internet Protocol、非特許文献１を参照）などによるネットワークである。このような環境では、移動端末の構成を簡単にすることができ、ユーザ（オペレータ）はサービスに対してよりよい制御を行うことができる。これらのネットワークにおいて、移動端末のハンドオーバは、通常、ネットワークによって決定され開始される。
【０００３】
しかし、複数のアクセス技術を有する移動端末にとってこの種の構成はうまく機能しない。例えば、３Ｇ接続がネットワークの環境に基づいてうまく機能していたとしても、移動端末が料金面などを理由にＩＥＥＥ８０２．１１ＷＬＡＮ（Wireless Local Area Network）若しくはＷｉＭＡＸ（World Interoperability for Microwave Access）アクセスにハンドオーバをすることを決定することがある。
【０００４】
そのような移動端末に対しては、移動端末がハンドオーバの決定をネットワークに示すことによってハンドオーバの開始を認める。例えば、移動端末はハンドオーバ決定アルゴリズムに基づいて３Ｇネットワークを中断するためにネットワークにシグナリングを送信することができ、異種のネットワークへのハンドオーバを行うことができる。
【先行技術文献】
【非特許文献】
【０００５】
【非特許文献１】S.Gundavelli et al, “Proxy Mobile IPv6”, RFC5213, August 2008, http://www.ietf.org/rfc/rfc5213.txt
【非特許文献２】“3GPP TS23.401v8.1.0”, ftp://ftp.3gpp.org 2008-03
【非特許文献３】“3GPP TS23.402v8.1.1”, ftp://ftp.3gpp.org 2008-03
【非特許文献４】B. Aboba et al, "Extensible Authentication Protocol", RFC3748, June 2004, http://www.ietf.org/rfc/rfc3748.txt
【非特許文献５】B. Aboba et al, "The Network Access Identifier", RFC4282, December 2005, http://www.ietf.org/rfc/rfc4282.txt
【０００６】
しかし、これには問題がある。通常、移動端末は異種のネットワークへのハンドオーバを行うために長い時間を要する。これにより、サービスの中断が起こる。アクセス技術の違いのため、古いアクセスの接続コンテキストが新しいアクセスに適用できない。そのため、移動端末は新たなアクセスの形成及び接続の再構築を得るために時間を要する。この場合、古いアクセスへの接続は、新たなアクセスの形成より先に切断され、サービス中断が生じてしまう。
【０００７】
さらに、ネットワーク主導型のハンドオーバと移動端末主導型のハンドオーバが同時に起こると、シグナリング衝突（コンフリクション）が生じ、望ましくないハンドオーバがなされる原因となる。最悪の場合、移動端末はすべての接続を失ってしまう。上述の問題から、データ通信ネットワークにおいて移動端末の動作を適当に制御するよりよい方法が必要とされている。
【発明の概要】
【０００８】
本発明は、上記の問題点に鑑み、サービスの中断を受けずにスムーズなハンドオーバをすることができ、所望するハンドオーバを行うことができるハンドオーバ処理方法、その方法によって用いられる移動端末、接続管理装置及び基地局を提供することを目的とする。
【０００９】
上記目的を達成するために、本発明によれば、移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法であって、前記複数のアクセスネットワークのうちの所望するアクセスネットワークへの前記移動端末の接続を優先的にさせるための所定の情報を含むメッセージを前記移動端末が生成するステップと、前記移動端末が、生成された前記メッセージを、前記所望するアクセスネットワークに配置された基地局又は現在接続しているアクセスネットワークに配置された基地局へ送信するステップと、送信された前記メッセージを受信する前記基地局を通じて得られる前記所定の情報に基づいて、前記接続管理装置が、前記所望するアクセスネットワーク以外のアクセスネットワークの基地局からの前記移動端末のハンドオーバによるパス切り替え要求を拒否するステップとを、有するハンドオーバ処理方法が提供される。この構成により、サービスの中断を受けずにスムーズなハンドオーバをすることができ、所望するハンドオーバを行うことができる。なお、接続管理装置は、後述するＳＧに相当する。
【００１０】
また、本発明によれば、移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記移動端末であって、前記複数のアクセスネットワークのうちの所望するアクセスネットワークへの前記移動端末の接続を優先的にさせるための所定の情報を含むメッセージを生成するメッセージ生成手段と、生成された前記メッセージを、前記所望するアクセスネットワークに配置された基地局又は現在接続しているアクセスネットワークに配置された基地局へ送信する送信手段とを、備える移動端末が提供される。この構成により、サービスの中断を受けずにスムーズなハンドオーバをすることができ、所望するハンドオーバを行うことができる。
【００１１】
また、本発明によれば、移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記接続管理装置であって、前記複数のアクセスネットワークのうちの前記移動端末が所望するアクセスネットワーク以外のアクセスネットワークに配置された基地局から、パス切り替え要求メッセージを受信する受信手段と、前記移動端末によって生成されたメッセージに含まれる情報であって、前記複数のアクセスネットワークのうちの所望するアクセスネットワークへの前記移動端末の接続を優先的にさせるための所定の情報に基づいて、前記所望するアクセスネットワーク以外のアクセスネットワークの前記基地局からの要求であって、前記移動端末のハンドオーバによるパス切り替え要求を拒否するか否かを判断する判断手段と、前記パス切り替え要求を拒否すると判断された場合に、前記パス切り替え要求を拒否する旨のメッセージを前記所望するアクセスネットワーク以外のアクセスネットワークの前記基地局へ送信する送信手段とを、備える接続管理装置が提供される。この構成により、サービスの中断を受けずにスムーズなハンドオーバをすることができ、所望するハンドオーバを行うことができる。
【００１２】
また、本発明によれば、移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記移動端末の基地局であって、前記移動端末によって生成されたメッセージであって、前記複数のアクセスネットワークのうちの所望するアクセスネットワークへの前記移動端末の接続を優先的にさせるための所定の情報を含むメッセージを受信する受信手段と、受信された前記メッセージに含まれる前記所定の情報を取得し、取得された前記所定の情報を含むメッセージを生成する、又は取得された前記所定の情報を含むパス切り替え要求のメッセージを生成するメッセージ生成手段と、生成された前記メッセージ又は前記パス切り替え要求のメッセージを所定の装置又は前記接続管理装置へ送信する送信手段とを、備える基地局が提供される。この構成により、サービスの中断を受けずにスムーズなハンドオーバをすることができ、所望するハンドオーバを行うことができる。
【００１３】
本発明のハンドオーバ処理方法、その方法によって用いられる移動端末、接続管理装置及び基地局は、サービスの中断を受けずにスムーズなハンドオーバをすることができ、所望するハンドオーバを行うことができる。
【図面の簡単な説明】
【００１４】
【図１】本発明の第１、第２の実施の形態におけるネットワークの構成の一例を示す構成図
【図２】本発明の第１の実施の形態における解法の前提を説明するためのシグナリングシーケンスの一例を示すシーケンスチャート
【図３】本発明の第１の実施の形態におけるネットワークの構成の一部を示す構成図
【図４】本発明の第１の実施の形態における処理シーケンスの一例を示すシーケンスチャート
【図５】本発明の第１から第３の実施の形態に係るＭＮの構成の一例を示す構成図
【図６】本発明の第１から第３の実施の形態における優先度値のオブジェクトの一例を示すメッセージフォーマット
【図７】本発明の第１から第３の実施の形態に係るＳＧの構成の一例を示す構成図
【図８】本発明の第２の実施の形態における処理シーケンスの一例を示すシーケンスチャート
【図９】本発明の第２の実施の形態に係るＡＤ（基地局）の構成の一例を示す構成図
【図１０】本発明の第１から第３の実施の形態におけるＰＢＵメッセージの一例を示すメッセージフォーマット
【図１１】本発明の第１の実施の形態における拡張されたＥＡＰメッセージの一例を示すメッセージフォーマット
【図１２】本発明の第１の実施の形態における拡張AAA_Authorize_Ansメッセージの一例を示すメッセージフォーマット
【図１３】本発明の第３の実施の形態における処理シーケンスの一例を示すシーケンスチャート
【図１４】本発明の第３の実施の形態における他の処理シーケンスの一例を示すシーケンスチャート
【図１５】本発明の第３の実施の形態における他の処理シーケンスの一例を示すシーケンスチャート
【発明を実施するための形態】
【００１５】
＜第１の実施の形態＞
以下の第１から第３の実施の形態の説明において、数値、時間、構成、プロトコル、パラメータは本発明の理解のために与えられたものであり、本発明はこれらに限られるものではない。
【００１６】
本発明の第１の実施の形態におけるネットワーク構成の一例を図１に示す。図１に示すように、複数のアクセス技術を有する移動端末ＭＮ（Mobile Node）１００は、ＡＤ（Access Domain：アクセスドメイン）１１１を介してＡＳＤ（Application Service Domain：アプリケーションサービスドメイン）１１０からサービスを受けている。ＭＮ１００は、アクセスインタフェースのうちの１つのインタフェース（ここでは、インタフェース１とする）を用いてリンク１２１を通じてＢＳ（Base Station：ベースステーション）１０５を介してＡＤ１１１に接続している。ＡＤ１１１は、ＡＧ（Access Gateway：アクセスゲートウェイ）１０１及び、リンク１３１を通じたＳＧ（Service Gateway：サービスゲートウェイ）１０４を介してＡＳＤ１１０へのアクセスを提供する。
【００１７】
ある時点で、ＭＮ１００は他のアクセスドメインのＡＤ１１３を検出する。ある情報と基準（criteria）、例えばチャージレート、ＱｏＳ（Quality of Service）などに基づいて、ＭＮ１００はＡＤ１１３にハンドオーバすることを決定し、ＡＧ１０３を介してサービスにアクセスする。情報の取得やハンドオーバ決定の仕方についてＭＮ１００が異なる方法を有することは当業者にとって明らかである。例えば、ＭＮ１００は、ＡＤ１１１を通じて若しくは直接ＡＤ１１３を通じて情報を取得するメカニズムに基づいたＩＥＥＥ８０２．２１を用いることができる。
【００１８】
ＭＮ１００はＡＤ１１３への接続の構築(connection setup)を開始する。ＭＮ１００はリンク１２３を通じてＢＳ１０７を介してＡＤ１１３へ接続するためにインタフェース（ここでは、インタフェース２とする）を用いる。ＡＤ１１３は、ＡＧ１０３及びリンク１３２を通じたＳＧ１０４を介してＡＳＤ１１０へのアクセスを提供する。
【００１９】
ＡＤ１１３への接続の構築過程の間、ＭＮ１００はＡＤ１１１の圏外であり、ＡＤ１１２の圏内である新たな位置１００ａに移動するとする。ここで、位置１００ａは、ＡＤ１１１の圏内ではあるがＡＤ１１２と接続するのが好ましいような位置としてもよい。すなわち、ＡＤ１１１に対してＡＤ１１２がより好適な接続環境（例えば無線環境）を有するような位置としてもよい。
【００２０】
ＡＤ１１２はＡＤ１１１からのネットワーク主導型ハンドオーバをサポートするネットワークである。そのようなネットワークの一例としては３Ｇネットワークの２つのサブドメインである。ＡＤ１１１と同様、ＡＤ１１２もリンク１３３を通じてＡＧ１０２を介してＡＳＤ１１０へのアクセスを提供する。そのため、ネットワークはハンドオーバ処理を開始し、リンク１２５を通じてインタフェース１を用いてＡＤ１１２のＢＳ１０６に接続するようＭＮ１００に指示する。同時に、ネットワーク側のハンドオーバ手続き、例えばデータパス切り替えは実行される。
【００２１】
リンク１３１、１３２、１３３上において、モビリティ管理スキームに基づくネットワークが用いられ、例えばＰＭＩＰ（非特許文献１を参照）やＧＴＰ（General packet radio services Tunneling Protocol）などが用いられている。
【００２２】
図２はシステムの問題を説明するためのシグナリングシーケンスを示すものである。ここでは、リンク１３１、１３２、１３３には、スキームの一例としてＰＭＩＰｖ６が用いられている。混乱を避けるために、図２は抽象的な態様でのシグナリング制御のみを示し、それぞれのアクセスドメインが１つのエンティティで簡易化されている。実際のシグナリングにはより多くのメッセージ交換を行う多くのエンティティが必要とされることは当業者にとって自明である。
【００２３】
図２に示すように、まずＭＮ１００はＡＤ１１１に接続している（ステップＳ２００１）。この時点で、ＳＧ１０４はＡＤ１１１に対する位置登録情報（Binding Entry:バインディングエントリ）を有している（ステップＳ２００２）。このバインディングエントリを有しているため、ＳＧ１０４はＭＮ１００に対するデータ転送の仕方がわかる。なお、バインディングエントリとは、例えば非特許文献１に記載のBinding Cache Entryである。
【００２４】
ある時点で、ＭＮ１００がＡＤ１１３に接続することを決め、アタッチメントイベントを開始する（ステップＳ２００３）。このステップがいくつかのステップ、例えばＬ２（レイヤ２）接続の取得、認証処理などのステップを含むことは当業者にとって自明である。
【００２５】
ＭＮ１００のアタッチメントイベントを検出した後、ＡＤ１１３中のＭＡＧ(Mobile Access Gateway)、例えばＡＧ１０３は、ＬＭＡ(Local Mobility Anchor)エンティティ、例えばＳＧ１０４のバインディングエントリをプロキシＢＵ（ＰＢＵ：Proxy Binding Update）メッセージを用いて更新させる（ステップＳ２００４）。ＰＢＵメッセージのフォーマット及びＭＡＧ、ＬＭＡの一例は非特許文献１に定義されている。
【００２６】
このＰＢＵメッセージが、ＡＡＡ（Authentication Authorization and Accounting）サーバでの協議の後、ＳＧ１０４によって受け入れられれば、ＳＧ１０４におけるＭＮ１００のバインディングエントリが変更される。変更されると、ＡＤ１１３へのバインディングエントリがＳＧ１０４に保持される（ステップＳ２００５）。ＳＧ１０４はプロキシＢＡ（ＰＢＡ：Proxy Binding Acknowledge）メッセージによってＰＢＵに対する応答をする（ステップＳ２００６）。ＰＢＡの受信後、ＡＤ１１３はネットワーク側での接続が構築されると考える。
【００２７】
同時に、新たな位置１００ａへのＭＮ１００の移動（ステップＳ２００７）により、ＡＤ１１１とＡＤ１１２はネットワーク主導型ハンドオーバを開始する（ステップＳ２００８）。このステップがいくつかのステップ、例えばデータ転送、ネットワーク間でのパススイッチメッセージの交換など詳細に示されていないものを含むことは当業者にとって自明である。
【００２８】
ネットワーク主導型ハンドオーバ処理後、ＡＤ１１２中のＭＡＧ、例えばＡＧ１０２はデータパスを更新するために、ＬＭＡエンティティ、例えばＳＧ１０４にＰＢＵを送信する（ステップＳ２００９）。同様に、このＰＢＵがＳＧ１０４によって処理されると、バインディングエントリがＡＤ１１２に対するものに変更される（ステップＳ２０１０）。ＳＧ１０４はＰＢＡで変更を通知し（ステップＳ２０１１）、ＡＤ１１１とＡＤ１１２の間でネットワークハンドオーバ処理、例えばパス切り替え（データパススイッチ）がなされる（ステップＳ２０１２）。
【００２９】
同時期に、すべてが問題ないと考えているＡＤ１１３は、用意ができていることを知らせるため、ＭＮ１００にアタッチメントアック（Attachment Acknowledge）を送信する（ステップＳ２０１３）。この通知を受けると、ＭＮ１００はあるインタフェース１を介した古い接続の解放を開始する。現在のインタフェース１が既にＡＤ１１２へハンドオーバされているため、解放リクエストはＡＤ１１２に送信され（ステップＳ２０１４）、ＡＤ１１２はＬＭＡでのバインディングを削除するためにＳＧ１０４にＰＢＵを送信する（ステップＳ２０１５）。
【００３０】
上述のＰＢＵがＳＧ１０４によって処理されれば、ＭＮ１００についてのＳＧ１０４におけるすべてのバインディングエントリが消去される（ステップＳ２０１６）。これはＭＮ１００におけるサービス中断を生じさせる。
【００３１】
バインディングエントリの偶発的な変更を防止するため、ＰＭＩＰｖ６（非特許文献１参照）ではＡＴＴ（Access Technology Type）値の使用や、正確なアクションを得るためにＰＢＵ内にパラメータとしてインタフェースＩＤを使用することを提案している。しかし、以下のケースを解決することができない。ＡＤ１１１、１１２、１１３は、異なるアクセス技術、すなわちすべて異なるＡＴＴ値を用いている。ＡＤ１１１とＡＤ１１２が異なる技術を有するが、ＭＮ１００は１つの物理的インタフェース、例えばＵＭＴＳ（Universal Mobile Telecommunications System）、ＬＴＥ（Long Term Evolution）などを用いてアクセスができる。ＭＮ１００は異なる物理的インタフェースを用いてＡＤ１１１とＡＤ１１２にアクセスする。ＭＮ１００は、要求された情報、例えばインタフェースＩＤ、ハンドオーバ情報などアクセスネットワークに提供することができない。そのため、非特許文献１の解法でも図２で述べられた問題が生じる。
【００３２】
図３は本発明をサポートするネットワーク構成の一例を示すものである。図３は図１で示されたネットワークの一部に焦点をあてており、付加的なエンティティ及び接続を説明するために、拡張されたＡＤ１１３とＡＳＤ１１０を含むものである。図１で示されるネットワークの状況が考慮されることは当業者にとって自明である。
【００３３】
図３に示すように、ＡＡＡプロキシ３０１はＡＤ１１３内に存在する。ＢＳ１０７はリンク３１１を通じてＡＡＡプロキシ３０１に接続している。ネットワークの内側、例えばＭＮ１００のホームドメインにＡＡＡサーバ３０３が存在する。ＡＡＡプロキシ３０１はリンク３１３を通じてＡＡＡサーバ３０３に接続している。ＡＡＡプロキシ３０１とＡＡＡサーバ３０３は、ＭＮ１００がＡＤ１１３への認証及び許可を受けるためのメカニズムを規定する。さらに、ＡＡＡサーバ３０３はリンク３１５を通じてＳＧ１０４にアクセスできる。リンク３１１、３１３、３１５上で実装されるプロトコルの例としては、ＲＡＤＩＵＳ（Remote Authentication Dial-In User Service）とＤｉａｍｅｔｅｒである。これらのリンクの転送プロトコルにおいて、ＭＮ１００はＥＡＰ（Extensible Authentication Protocol）のようなメカニズムを用いてＡＡＡサーバ３０３と直接通信する。
【００３４】
図４は図１及び図３に示されたネットワークでの本発明の処理シーケンスの一例を示すものである。図４に示すように、図２と同様、最初にステップＳ４００１、Ｓ４００２において、ＭＮ１００はＡＤ１１１を通じてサービスを受けており、ＳＧ１０４内のバインディングエントリはＡＤ１１１に対するものである。
【００３５】
ＭＮ１００はＡＤ１１３を発見し、接続することを決定する。そのため、ＭＮ１００は接続リクエストをＢＳ１０７に送信する（ステップＳ４００３）。接続リクエストがいくつかのサブステップ、例えばリンクレイヤでの提携、リンクレイヤ認証の開始などを伴うことは当業者にとって自明である。接続リクエストの一例は、ＭＮ１００からアクセスポイントへのＥＡＰＯＬ（Extensible Authentication Protocol over LAN）メッセージであり、その場合、ＡＤ１１３は例えばＩＥＥＥ８０２．１１などの無線アクセス技術を用いている。この接続リクエスト内に、ＭＮ１００はこの接続における優先度値（ＰＳＶ：Priority Setting Value）を示す。優先度値は、この接続は他の接続よりも優先度が高いことを示すものである。例えば、これはＥＡＰ（Extensible Authentication Protocol）メッセージ内の付加的なオブジェクト（項目）である。
【００３６】
なお、本発明のハンドオーバ処理方法において、上述した所定の情報が、所望するアクセスネットワークへの接続の優先度が他のアクセスネットワークへの接続の優先度より高いことを示す情報であることは、本発明の好ましい態様である。この構成により、所望するアクセスネットワーク以外のアクセスネットワークからのパス切り替え要求を排除することができる。なお、上述した所定の情報が、所望するアクセスネットワークへの接続の優先度が他のアクセスネットワークへの接続の優先度より高いことを示す情報であるとは、所定の情報に含まれる優先度値が、所定の値を超える値である状態をもって評価するものであってもよい。
【００３７】
接続リクエストは、ＭＮ１００のホームドメインに向けてＡＡＡ手続きをＢＳ１０７に行わせるためのトリガである。図４に示すように、接続リクエストは、ＡＡＡプロキシ３０１を介してＡＡＡサーバ３０３に送信されるＡＡＡリクエスト（ステップＳ４００４、Ｓ４００５）を含む。このメッセージの一例は、ＡＡＡサーバ３０３に送信されるＤｉａｍｅｔｅｒにおけるＭＮ１００からのＥＡＰメッセージである。そのメッセージ内に、ＭＮ１００によって示された優先度値が存在し、ＡＡＡサーバ３０３に伝達される。
【００３８】
なお、本発明の基地局において、上述した所定の情報が、所望するアクセスネットワークへの接続の優先度が他のアクセスネットワークへの接続の優先度より高いことを示す情報である場合、メッセージ生成手段が、新たな接続の認証を行う認証装置に認証を行わせるためのメッセージであって、所定の情報を含む認証要求メッセージを生成し、送信手段が、生成された認証要求メッセージを認証装置へ送信することは、本発明の好ましい態様である。この構成により、ＡＡＡ過程における保護によりセキュリティを保証することができる。
【００３９】
ＡＡＡサーバ３０３は、ＡＡＡリクエストを受信した（ステップＳ４００５）後、適当な認証及び許可の処理を実行する。この処理が成功すると、ＡＡＡサーバ３０３は、ＢＳ１０７に向けてＡＡＡ受信メッセージ（ＡＡＡ受信）を送信する（ステップＳ４００６、Ｓ４００７）。ＢＳ１０７は、接続受信メッセージ（接続受信）によってＭＮ１００に結果を通知する（ステップＳ４００８）。ネットワーク内でのＡＡＡメカニズム、例えばＥＡＰ方法に依存し、より多くのメッセージの交換がなされることは当業者にとって自明である。
【００４０】
このときＡＡＡサーバ３０３は、ＭＮ１００のエントリとともに格納された優先度値を保持する（ステップＳ４００９）。
【００４１】
ＢＳ１０７への接続が成功した後、ＭＮ１００のＩＤはＡＧ１０３に示され、ＡＤ１１３内においてＭＡＧエンティティとして振舞う（ステップＳ４０１０）。そのような処理の詳細が環境に依存することは当業者にとって自明である。例えば、非３ＧＰＰアクセスネットワークにおいては、ＡＧ１０３はｅＰＤＧになり、ＭＮのＩＤはトンネル構築処理、例えばＩＫＥｖ２処理の間に示される。または、ＡＧ１０３は以前のＡＡＡ処理からの情報に基づいてＢＳ１０７を介してＭＮのＩＤを直接取得することができる。
【００４２】
ＡＧ１０３はＳＧ１０４にＰＢＵメッセージ（プロキシＢＵ）を送信し（ステップＳ４０１１）、ＳＧ１０４はＰＭＩＰｖ６におけるＬＭＡエンティティとして振舞う。このＰＢＵメッセージは、ＭＮ１００の接続の許可のため、AAA_Authorize_Req（ステップＳ４０１２）を用いてＡＡＡサーバ３０３と協議することをＬＭＡに促すものである。このメッセージの一例は、Ｄｉａｍｅｔｅｒ  ＰＭＩＰｖ６アプリケーションメッセージである。これにより、ＡＡＡサーバ３０３はAAA_Authorize_Ans（ステップＳ４０１３）で応答し、ＭＮ１００と関連付けられた優先度値をＳＧ１０４へ渡す。
【００４３】
AAA_Authorize_Ansメッセージの受信により、ＳＧ１０４は、優先度値を関連付けてＡＤ１１３へのバインディングエントリを変更する（ステップＳ４０１４）。ＳＧ１０４はＰＢＡメッセージ（プロキシＢＡ）を通じてバインディングエントリの変更を知らせる（ステップＳ４０１５）。
【００４４】
ほぼ同時に、新たな位置１００ａへのＭＮ１００の移動（ステップＳ４０１６）により、ＡＤ１１１とＡＤ１１２はネットワーク主導型のハンドオーバ処理を開始する（ステップＳ４０１７）。これにより、ＡＤ１１２内のＭＡＧエイティティがＳＧ１０４にＰＢＵメッセージを送信する（ステップＳ４０１８）。しかし、登録されている優先度値に従って、ＳＧ１０４はこの要求を拒否し、その理由を示したＰＢＡ（エラー）で知らせる（ステップＳ４０１９）。
【００４５】
同時に、ＡＧ１０３はＭＮ１００のＬ３アタッチメント処理を終了する（ステップＳ４０２０）。この処理は、必要なレイヤ３パラメータを構成するためにＭＮ１００にＲＡ若しくはＤＨＣＰ（Dynamic Host Configuration Protocol）メッセージが送信される。この処理が成功すると、ＭＮ１００はインタフェース１を介してＡＤ１１２（あるいはＡＤ111）に解放要求メッセージを送信し（ステップＳ４０２１）、使用されていないリソースが解放される（ステップＳ４０２２）。
【００４６】
上述した処理シーケンスによれば、ＭＮ１００がスムーズなハンドオーバができ、サービスの中断を受けないことは明らかである。この方法の利点は、システム構造に対して影響をほとんど与えないことである。これにより、同じシステムメッセージが再利用でき、ＡＡＡ過程における保護によりセキュリティは保証される。
【００４７】
なお、本発明のハンドオーバ処理方法において、上述した所定の情報が、所望するアクセスネットワークへの接続の優先度が他のアクセスネットワークへの接続の優先度より高いことを示す情報である場合、メッセージを受信する所望するアクセスネットワークに配置された基地局が、新たな接続の認証を行う認証装置に所定の情報を含む認証要求メッセージを送信し、認証装置が、認証要求メッセージに基づいて新たな接続の認証を許可した後に、所望するアクセスネットワーク以外のアクセスネットワークの基地局からのパス切り替え要求を拒否させるために所定の情報を接続管理装置に通知することは、本発明の好ましい態様である。この構成により、ＡＡＡ過程における保護によりセキュリティを保証することができる。
【００４８】
また、本発明の他の処理シーケンスの一例についても図４を用いて示すことができる。この処理シーケンスでは、ステップＳ４００３においてＭＮ１００は優先度値を示さない。これにより、ＡＡＡサーバ３０３にはＭＮ１００のエントリと関連付けられた優先度値がない。すなわち、ステップＳ４００９が存在しない。その代わりに、ステップ４０１０において、ＭＮ１００がＡＧ１０３にＭＮ１００のＩＤを示すとき、ＭＮ１００はＩＤフォーマット内に優先度値を示す。例えば、ＭＮ１００のＩＤが非特許文献５に記載のＮＡＩ(Network Access Identifier)フォーマット内に示されれば（例えば、User@Home.Domain）、優先度値（ＰＳＶ: Priority Setting Value）は“PSV@User@Home.Domain”として示される。
【００４９】
そのようなフォーマットのＭＮ ＩＤを見つけたＡＧ１０３は、ＭＮ１００のＩＤから優先度値を抽出し、ＳＧ１０４に送られるＰＢＵ（ステップＳ４０１１）内に別のフィールドのオブジェクトとして優先度値を含める。優先度値を有するＰＢＵを受信すると、ＳＧ１０４はＡＡＡサーバ３０３に許可の要求を行う（ステップＳ４０１２、Ｓ４０１３）。成功すると、ＳＧ１０４は優先度値を関連付けてバインディングエントリを更新する（ステップＳ４０１４）。
【００５０】
この処理シーケンスの残りであるステップＳ４０１５からＳ４０２２は、先に述べたシーケンスと同様であるため説明を省略する。この方法の利点は、アクセスゲートウェイ以外のアクセスネットワーク内ノードに影響を与えないことである。
【００５１】
なお、本発明のハンドオーバ処理方法において、上述した所定の情報が、所望するアクセスネットワークへの接続の優先度が他のアクセスネットワークへの接続の優先度より高いことを示す情報である場合、生成されたメッセージが、所望するアクセスネットワークに配置された基地局に移動端末の識別情報を通知する際のメッセージであることは、本発明の好ましい態様である。この構成により、移動端末の識別情報と一緒に通知することができる。
【００５２】
次に、第１の実施の形態に係る移動端末ＭＮについて図５を用いて説明する。図５は本発明をサポートするＭＮの構成の一例を示す構成図である。図５に示すように、ＭＮは、ハンドオーバ制御部５０１と、複数の通信インタフェースであるインタフェース５０２及びインタフェース５０３とから構成されている。ハンドオーバ制御部５０１は、インタフェース５０２、５０３を介してこれらの通信インタフェースを制御、監視するものである。
【００５３】
また、ハンドオーバ制御部５０１は、端末主導型のハンドオーバが発生したときにハンドオーバのインタフェースを決める。同時に、ハンドオーバ制御部５０１は、内部のインタフェースハンドオーバあるいは異なるアクセスネットワーク間のハンドオーバが実行されるときに優先度値のオブジェクトを作成し、適切なメッセージなどを作成する。ハンドオーバ制御部５０１は、すべてのインタフェースから収集された情報、そしてユーザからの情報、他のプロトコルレイヤの入力情報、ＭＮ自身からの情報、例えば電源状態の情報に基づいて優先度値を決定する。
【００５４】
例えば、より通信状態のよいインタフェースあるいはアクセスネットワークをより高い優先度に設定する。また、より高速通信可能なインタフェースあるいはアクセスネットワークをより高い優先度に設定する。また、ＱｏＳサポートの厚いインタフェースあるいはアクセスネットワークをより高い優先度に設定する。また、ユーザの指定するインタフェースあるいはアクセスネットワークをより高い優先度に設定する。また、所定のプロトコルをサポートするインタフェースあるいはアクセスネットワークをより高い優先度に設定する（例えば、IEEE802.11にもとづくアクセスネットワーク）。また、バッテリ消費量の少ないインタフェースあるいはアクセスネットワークをより高い優先度に設定する。なお、バッテリ容量が多く残っているときはバッテリ消費が高くてもより高い優先度に設定するものであってもよい。なお、ここで説明したＭＮについては後述する第２、第３の実施の形態においても同様である。
【００５５】
なお、本発明の移動端末において、上述した所定の情報が、所望するアクセスネットワークへの接続の優先度が他のアクセスネットワークへの接続の優先度より高いことを示す情報、又は所望するアクセスネットワーク以外のアクセスネットワークへの接続の優先度が所望するアクセスネットワークへの接続の優先度より低いことを示す情報であることは、本発明の好ましい態様である。この構成により、所望するアクセスネットワーク以外のアクセスネットワークからのパス切り替え要求を排除することができる。
【００５６】
また、本発明の移動端末において、上述した所定の情報が、所望するアクセスネットワークへの接続の優先度が他のアクセスネットワークへの接続の優先度より高いことを示す情報である場合、メッセージ生成手段によって生成されたメッセージが、所望するアクセスネットワークに配置された基地局に移動端末の識別情報を通知する際のメッセージであることは、本発明の好ましい態様である。この構成により、移動端末の識別情報と一緒に通知することができる。
【００５７】
図６は優先度値のオブジェクトの一例を示すメッセージフォーマットの一例である。上述したように、優先度値は異なるメッセージタイプで伝えられる。そのため、ＴＬＶ（Type-Length-Value）の形式で定義され、ほとんどのプロトコルメッセージに適合でき、簡単に取り入れることができ、簡単に記述できる。
【００５８】
優先度値オブジェクトはTypeフィールド６０１から開始される。この値は優先度値のオブジェクトを伝えるプロトコルの番号付けスペース（Numbering space）に依存して変わる。例えば、ＥＡＰとＤｉａｍｅｔｅｒは、優先度値オブジェクトを識別するために異なるタイプ値を定義する。
【００５９】
Lengthフィールド１００２は、バイト単位での優先度値オブジェクト全体の長さを示すものである。このフィールドは、例えば２バイトの長さである。
【００６０】
Time Limitフィールド１００３は、この優先度値の有効性がどのくらいであるかを示すものである。例えば、それは１バイトの長さで、その値は優先度値が有効である時間を示す。２５５の値は優先度値がずっと有効であることを意味する。また、ゼロの値は優先度値が取り除かれることを意味する。すなわち、デフォルトに戻すことを意味する。
【００６１】
Obj-Typeフィールド１００４とObj Specific Valueフィールド１００５は、ペアで示される。１つの優先度値オブジェクト内で、１つ以上のペア、例えばObj-Typeフィールド１００４とObj Specific Valueフィールド１００５、Obj-Typeフィールド１００６とObj Specific Valueフィールド１００７が存在する。
【００６２】
Obj-Typeフィールド１００４は、１バイトの長さで、以下の値をとる。０ｘ０１：＝正を意味する優先度の値、０ｘ０２：＝負を意味する優先度の値、０ｘ０３：＝Obj-Specific Valueフィールドに記載されたアクセスタイプに対して、高い優先度を有する現在のアクセスタイプ、０ｘ０４：＝Obj Specific Valueフィールドに記載されたアクセスタイプに対して、低い優先度を有する現在のアクセスタイプ、０ｘ０５：＝Obj Specific Valueフィールドに記載されたインタフェースに対して、高い優先度を有する現在のインタフェース、０ｘ０６：＝Obj Specific Valueフィールドに記載されたインタフェースに対して、低い優先度を有する現在のインタフェース。
【００６３】
Obj Specific Valueフィールド１００５は、Obj-Typeフィールド１００４に従った値を含む。例えば、優先度値、アクセスタイプ、インタフェースＩＤなどである。
【００６４】
次に、第１の実施の形態に係る接続管理装置ＳＧについて図７を用いて説明する。図７は本発明のＳＧの一例を示す構成図である。図７に示すように、ＳＧはＰＳＶ管理部７０１、アドレス管理部７０２から構成されている。これらの２つの手段はインタフェース７０３でリンクされている。
【００６５】
ＰＳＶ管理部７０１は、ＭＮのアドレスのエントリごとにＰＳＶを管理するものである。これは、ＳＧ内でのＰＭＩＰにおける各バインディングキャッシュエントリがＰＳＶで関連付けられていることを意味する。ＰＳＶ管理部７０１は、上述したようにそれぞれのエントリにおける値を取得する。例えば、図４のステップＳ４０１３（ＮＡＩが適用される場合にはステップＳ４０１１）や後述する第２の実施の形態の図８のステップＳ８００４において取得する。なお、ＰＳＶを管理する単位としては、複数のアドレス組を単位とするものであってもよい。例えば、非特許文献２や３に示されるＰＤＮコネクション（PDN Connection）を単位とするものであってもよく、１つのＰＤＮコネクションに複数のアドレスタイプを有するような場合に、複数アドレスごとのエントリを一元化することができ、管理負担を低減することができる。
【００６６】
アドレス管理部７０２は、ＭＮにおけるアドレスバインディングキャッシュエントリを管理するものである。アドレス管理部７０２は、関連付けられたＰＳＶに基づいてアドレスバインディングキャッシュを扱う。例えば、新たなＰＢＵ内に示されたアドレスが格納されたアドレスより大きいＰＳＶを有する場合にのみエントリを置き換える。ＰＢＵからのアドレスと格納されたアドレスのＰＳＶはインタフェース７０３を介してＰＳＶ管理部７０１によって管理される。なお、ここで説明したＳＧについては後述する第２、第３の実施の形態においても同様である。
【００６７】
なお、本発明の接続管理装置において、上述した所定の情報が、所望するアクセスネットワークへの接続の優先度が他のアクセスネットワークへの接続の優先度より高いことを示す情報、又は所望するアクセスネットワーク以外のアクセスネットワークへの接続の優先度が所望するアクセスネットワークへの接続の優先度より低いことを示す情報であることは、本発明の好ましい態様である。この構成により、所望するアクセスネットワーク以外のアクセスネットワークからのパス切り替え要求を排除することができる。
【００６８】
また、本発明の接続管理装置において、上述した所定の情報が、所望するアクセスネットワークへの接続の優先度が他のアクセスネットワークへの接続の優先度より高いことを示す情報である場合、メッセージを受信する所望するアクセスネットワークに配置された基地局によって送信された所定の情報を含む認証要求メッセージを新たな接続の認証を行う認証装置が受信し、認証要求メッセージに基づいて新たな接続の認証を許可した後に、受信手段が、所望するアクセスネットワーク以外のアクセスネットワークの基地局からのパス切り替え要求を拒否させるための所定の情報を認証装置から受信することは、本発明の好ましい態様である。この構成により、ＡＡＡ過程における保護によりセキュリティを保証することができる。
【００６９】
また、本発明の接続管理装置において、上述した所定の情報が、所望するアクセスネットワーク以外のアクセスネットワークへの接続の優先度が所望するアクセスネットワークへの接続の優先度より低いことを示す情報である場合、判断手段が、移動端末が現在接続しているアクセスネットワークに配置された基地局から得られる所定の情報を関連付けて、所望するアクセスネットワーク以外のアクセスネットワークへのパス切り替えの処理を行い、その後、所望するアクセスネットワークに配置された基地局からのパス切り替え要求メッセージに基づいてパス切り替えの処理を行い、受信手段が、所定の情報を含むパス切り替え要求メッセージを所望するアクセスネットワーク以外のアクセスネットワークに配置された基地局から受信した場合に、判断手段が、所定の情報に基づいて、所望するアクセスネットワーク以外のアクセスネットワークの基地局からのパス切り替え要求を拒否することは、本発明の好ましい態様である。この構成により、所望するアクセスネットワークへのパス切り替えを確実に行うことができる。
【００７０】
＜第２の実施の形態＞
図８は本発明の他の処理シーケンスの一例を示すものである。なお、第２の実施の形態におけるネットワーク構成も第１の実施の形態におけるネットワーク構成と同様であるため図１を用いて説明する。図８に示すように、ＭＮ１００はＡＤ１１１を介してＳＧ１０４からサービスを受けており、ＳＧ１０４はＡＤ１１１へのバインディングエントリを有している（ステップＳ８００１、Ｓ８００２）。
【００７１】
ＭＮ１００は、ＡＤ１１３を見つけ、ハンドオーバをしようと決定し、ハンドオーバ前に、ＭＮ１００はこのリンクは優先度が低い旨を示すアタッチメント更新メッセージ（アタッチメント更新）をＡＤ１１１に送信する（ステップＳ８００３）。優先度が低い旨を示すアタッチメント更新メッセージを受信すると、ＡＤ１１１のＭＡＧエンティティは、低い優先度が示されたＰＢＵをＳＧ１０４に送信する（ステップＳ８００４）。例えば、付加的な優先度値（ＰＳＶ）のオブジェクトを有するＰＢＵである。
【００７２】
なお、本発明のハンドオーバ処理方法において、上述した所定の情報が、所望するアクセスネットワーク以外のアクセスネットワークへの接続の優先度が所望するアクセスネットワークへの接続の優先度より低いことを示す情報であることは、本発明の好ましい態様である。この構成により、所望するアクセスネットワーク以外のアクセスネットワークからのパス切り替え要求を排除することができる。
【００７３】
このＰＢＵを受信すると、ＳＧ１０４はバインディングエントリを更新し、そのエントリに低い優先度を関連付ける（セットする）（ステップＳ８００５）。
【００７４】
同時に、ＭＮ１００はアタッチメントイベントによってＡＤ１１３に接続の構築を開始する（ステップＳ８００６）。このアタッチメントイベントがいくつかのサブステップ、例えばリンクレイヤの認証などを有することは当業者であれば自明である。ＡＤ１１３はアタッチメントイベントによって促され、バインディングエントリを更新するためにＳＧ１０４にＰＢＵを送信する（ステップＳ８００７）。このＰＢＵは特別な優先度値を含まず、この場合、通常の優先度と考えられる。そのため、ＳＧ１０４はＡＤ１１３に対するバインディングエントリを更新し、このエントリに通常の優先度を関連付ける（ステップＳ８００８）。ＳＧ１０４はプロキシＢＡ（ＰＢＡ）で結果をＡＤ１１３に知らせる（ステップＳ８００９）。
【００７５】
同時に、ＭＮ１００が新たな位置１００ａに移動する（ステップＳ８０１０）と、ネットワークはネットワーク主導型のハンドオーバ処理をするようＡＤ１１１及びＡＤ１１２に促す（ステップＳ８０１１）。ネットワーク主導型のハンドオーバの処理中に、ＡＤ１１１は、コンテキスト転送の間で、関連付けられた低い優先度値をＡＤ１１２に知らせる（ステップＳ８０１１）。
【００７６】
ＡＤ１１２は低い優先度を示すプロキシＢＵ（ＰＢＵ）をＳＧ１０４に送信する（ステップＳ８０１２）。この低い優先度値を含むＰＢＵは、通常の優先度で関連付けられたＳＧ１０４内のバインディングエントリを変更することに失敗する。そのため、ＳＧ１０４はエラーを伝えるためにＡＤ１１２にＰＢＡ（エラー）を送信する（ステップＳ８０１３）。
【００７７】
同時に、ＡＤ１１３は、ＭＮ１００へのアタッチメントアックによって接続が成功したことを知らせる（ステップＳ８０１４）。アタッチメントアックがＲＡ若しくはＤＨＣＰメッセージの形式になり得ることは当業者にとって自明である。
【００７８】
ＭＮ１００は、ＡＤ１１２にインタフェース１を介して解放リクエストを送信する（ステップＳ８０１５）。これにより、ＡＤ１１１とＡＤ１１２は不必要なリソースを解放することができる（ステップＳ８０１６）。
【００７９】
上述した処理もまた、ＭＮ１００がサービスの中断なしにスムーズなハンドオーバをすることができる。この方法の利点は、端末主導型のハンドオーバのシグナリングに変更がないことである。ＭＮは新たな接続をするのに通常の手続きを実行すればよく、処理に影響を与えない。ＭＮは優先度値をセットすることを決定することもできる。例えば、新たな接続の無線リンクを検出した後である。これは、不要なシグナリングを抑えることができる。また、ユーザの意思により、例えばユーザが通常の値又はそれ以上に優先度値を増加させることを決定すれば、ＭＮはいつでも優先度を修正することが可能である。
【００８０】
なお、あらかじめＭＮが異なるインタフェースやアクセスネットワークへのハンドオーバを実施する可能性が高いことを認識しているような場合、例えば大容量通信インタフェースを有しているが、その時点ではそれ以外のインタフェース（ここではインタフェースＡとよぶ）を用いて通信を行うような場合は、インタフェースＡを介して接続（アタッチ）する際に、上記示したのと同様に、低い優先度値をアタッチメントメッセージを用いて通知するものであってもよい。これによって、ハンドオーバ時にアタッチメント更新メッセージを送信する必要がなくなり、ハンドオーバ処理の低減とひいてはハンドオーバ時間の短縮を図ることができる。
【００８１】
なお、本発明のハンドオーバ処理方法において、上述した所定の情報が、所望するアクセスネットワーク以外のアクセスネットワークへの接続の優先度が所望するアクセスネットワークへの接続の優先度より低いことを示す情報である場合、接続管理装置が、移動端末が現在接続しているアクセスネットワークに配置された基地局から得られる所定の情報を関連付けて、所望するアクセスネットワーク以外のアクセスネットワークへのパス切り替えの処理を行い、その後、所望するアクセスネットワークに配置された基地局からのパス切り替え要求メッセージに基づいてパス切り替えの処理を行った後、所定の情報を含むパス切り替え要求メッセージを所望するアクセスネットワーク以外のアクセスネットワークに配置された基地局から受信した場合に、所定の情報に基づいて、所望するアクセスネットワーク以外のアクセスネットワークの基地局からのパス切り替え要求を拒否することは、本発明の好ましい態様である。この構成により、所望するアクセスネットワークへのパス切り替えを確実に行うことができる。
【００８２】
次に、第２の実施の形態に係るＡＤについて図９を用いて説明する。図９はＡＤ１１１とＡＤ１１２の構成の一例を示す構成図である。これは図８に示されるような処理をサポートする。以下ではＡＤ１１１、ＡＤ１１２をＡＤとして説明する。
【００８３】
図９に示すように、ＡＤは３つの構成要素からなり、ＰＳＶ管理部９０１、ハンドオーバ制御部９０２、モビリティ管理部９０３から構成されている。
【００８４】
ＰＳＶ管理部９０１は、ＡＤに関連付けられたＭＮのＰＳＶを維持するものである。ＰＳＶは、例えば図８のステップＳ８００３に示すように、ＭＮとＡＤとの間のシグナリングを通じて取得する。
【００８５】
モビリティ管理部９０３は、ＭＮのモビリティ管理、例えばＳＧにＰＢＵを送信することを行っている。モビリティ管理部９０３は、ＰＢＵ内に、インタフェース９０５を介してＰＳＶ管理部９０１から得たＭＮに関連付けられたＰＳＶを挿入する。
【００８６】
ハンドオーバ制御部９０２は、ＭＮにおけるネットワーク主導型のハンドオーバの制御を担っている。例えば、ハンドオーバ制御部９０２は、新たなＡＤ、例えばＡＤ１１２を選択したり、新たなＡＤ、例えばＡＤ１１２にアクセスコンテキストを転送したりする。現在接続しているＡＤ、例えばＡＤ１１１のハンドオーバ制御部９０２は、コンテキストを転送する際にＭＮに関連付けられたＰＳＶを含ませる。ＰＳＶはインタフェース９０４を介してＰＳＶ管理部９０１から得られる。
【００８７】
ＡＤ１１２でのハンドオーバ制御部９０２がコンテキストを受信した際、ハンドオーバ制御部９０２は、ＰＳＶを回収し、インタフェース９０４を介してＰＳＶ管理部９０１にＰＳＶを渡す。
【００８８】
ここで、ステップＳ８００７（ＮＡＩが適用される場合には第１の実施の形態のステップＳ４０１１）でのＰＢＵのメッセージフォーマットの一例を図１０に示す。
【００８９】
図１０に示すように、ＰＢＵヘッダ１００１とＰＢＵコンテント１００２は、非特許文献１に定義されているものに従う。ＰＳＶオブジェクト１００３は図６に示すものである。ＰＳＶオブジェクトは必要なときにＰＢＵコンテント１００２内に置かれることも当業者であれば自明である。
【００９０】
図１１は第１の実施の形態のステップＳ４００３、Ｓ４００４、Ｓ４００５で用いられる拡張されたＥＡＰメッセージのメッセージフォーマットの一例を示すものである。図１１に示すように、ＥＡＰヘッダ１１０１は非特許文献４に定義されているである。ＥＡＰ法オブジェクト１１０２は、ＥＡＰメッセージ、例えばＥＡＰ−ＡＫＡメッセージで運ばれる方法明記オブジェクトである。ＰＳＶオブジェクト１１０３は図６に示すものである。
【００９１】
図１２は第１の実施の形態のステップＳ４０１３におけるＳＧへのＡＡＡサーバ３０３からの拡張AAA_Authorize_Ansメッセージのメッセージフォーマットの一例を示すものである。図１２に示すように、ＡＡＡヘッダ１２０１とＡＡＡコンテント１２０２は、非特許文献４で定義されているように、ＡＡＡサーバとＬＭＡとの間の相互作用によって要求されるプロトコルのものと同じである。ＰＳＶオブジェクト１２０３は図６に示すものである。ＰＳＶオブジェクト１２０３がＡＡＡプロトコルのＴＬＶ（Type Length Value）オブジェクトの一部になることは当業者にとって自明である。
【００９２】
＜第３の実施の形態＞
上述した第１、第２の実施の形態において、ＡＤ１１１、ＡＤ１１２、ＡＤ１１３は一般的なネットワークとして示されている。そのため、特別な環境の場合においては、本発明の処理を環境に適合させる必要がある。図１３は実際のネットワークでの処理シーケンスの一例を示している。この例では、ＡＤ１１１とＡＤ１１２は３Ｇネットワークの異なるサブドメインであり、その３Ｇネットワークは異なるｅＮｏｄｅＢ（１３０３、１３０５）と異なるＳＧ（１３０９、１３１１）を有する。ＡＤ１１３は、３Ｇネットワークと相互に作用する非３ＧＰＰ ＩＰアクセス１３２１である。サービスは、上述した実施の形態のＳＧに相当するＰＤＮ ＧＷ１３１３を介してＭＮ１３０１に供給される。詳細な構成の例が非特許文献２、３に示されている。
【００９３】
図１３に示すように、ＭＮ１３０１が、ソースｅＮｏｄｅＢ１３０３とソースＳＧ１３０９を通じてＰＤＮ ＧＷ１３１３からのサービス受信を開始する（ステップＳ１３００１）。
【００９４】
ある時点で、ＭＮ１３０１は非３ＧＰＰ ＩＰアクセス１３２１を見つけ、ハンドオーバを開始することを決定する（ステップＳ１３００２）。ＭＮ１３０１はアクセス認証を実行することによって処理を開始し（ステップＳ１３００３）、これらのメッセージ交換がＭＮ１３０１のホームドメインのＨＳＳ/ＡＡＡ１３１５へ非３ＧＰＰ ＩＰアクセス１３２１を介して転送される（ステップＳ１３００４）。認証メッセージの交換の間、ＭＮ１３０１はネットワークに優先度値（ＰＳＶ）を示す。これは、例えばＨＳＳ/ＡＡＡ１３１５と交換されるＥＡＰメッセージ内の付加的なオブジェクトに含まれる。この後、ＨＳＳ/ＡＡＡ１３１５はＭＮのＩＤに関連付けて優先度値を保持する。
【００９５】
非３ＧＰＰ  ＩＰアクセス１３２１へのハンドオーバ対象となるＰＤＮコネクションが指定される（例えば、ＰＤＮコネクションＩＤやＩＰアドレス／プレフィクス情報などのＰＤＮコネクション識別情報が、アクセス認証（あるいはこれをアタッチ処理と呼ぶこともある）に含まれる）場合、ＨＳＳ／ＡＡＡ１３１５は、ＭＮのＩＤとＰＤＮコネクション識別情報に関連付けて優先度値を保持する。これにより、所定のＰＤＮコネクションだけをハンドオーバ対象とすることができ、それ以外のＰＤＮコネクションをハンドオーバ元アクセスネットワークに残しておくことができる。すなわち、本来ハンドオーバ元アクセスネットワークＡＤ１１１あるいは１１２のコネクションはＡＤ１１３へのハンドオーバとともに全て切断されるところを、ハンドオーバ対象のＰＤＮコネクションを指定し、かつ優先度値をＭＮのＩＤと指定されたＰＤＮコネクション識別情報に関連付けて管理することで、ハンドオーバ対象外のＰＤＮコネクションがハンドオーバ元アクセスに残る場合は、ハンドオーバ元アクセスネットワークからの切断を行わないようにすることができる。これにより、使用中にも係らずハンドオーバ元アクセスに残るべきＰＤＮコネクションの切断を回避することができ、ユーザ利便性を損なうことなくハンドオーバ処理を実施することができる。
【００９６】
ＭＮ１３０１はＬ３（レイヤ３）アタッチメントの実行を継続する（ステップＳ１３００５）。この場合、例えば、非３ＧＰＰ ＩＰアクセス１３２１が信用できるネットワークであれば、アタッチメントはＲＳメッセージであり、非３ＧＰＰ ＩＰアクセス１３２１が信用できないネットワークであれば、アタッチメントはｅＰＤＧと交わすＩＰＳｅｃトンネル構築メッセージ、例えばＩＫＥｖ２である。なお、信用できないネットワークとは、例えば非特許文献３に記載のUntrusted Non-3GPP IP Accessのことである。
【００９７】
このレイヤ３アタッチメントを受信することにより、非３ＧＰＰ ＩＰアクセス１３２１は、必要であれば、ゲートウェイ制御構築（Gateway control establishment）処理を実行する（ステップＳ１３００６）。例えば、セッション構築に関するＰＣＲＦ（Policy and Charging Rules Function）へ接触（コンタクト）する。非３ＧＰＰ ＩＰアクセス１３２１のＭＡＧエンティティ、例えばｅＰＤＧは、バインディングエントリ更新に関してＰＤＮ ＧＷ１３１３にプロキシＢＵ（ＰＢＵ）を送信する（ステップＳ１３００７）。
【００９８】
ＰＢＵの受信により、ＰＤＮ ＧＷ１３１３は関連するポリシルールを得る（ステップＳ１３００８）、例えばポリシ及び課金ルールに関するＰＣＲＦに接触（コンタクト）する。また、ＰＤＮ ＧＷ１３１３は、バインディングエントリの更新の許可のためＨＳＳ/ＡＡＡ１３１５に接触する（ステップＳ１３００９）。この許可の間に、ＨＳＳ/ＡＡＡ１３１５は、前もってＭＮ１３０１によって示された優先度値をＰＤＮ ＧＷ１３１３に知らせる。そのため、ＰＤＮ ＧＷ１３１３は、優先度を関連付けてバインディングエントリを非３ＧＰＰ ＩＰアクセス１３２１に対するものへ更新する。ＰＤＮ ＧＷ１３１３は、バインディングエントリの更新を知らせるために、非３ＧＰＰ ＩＰアクセス１３２１にプロキシＢＡ（ＰＢＡ）を送信する（ステップＳ１３０１０）。
【００９９】
なお、ＰＤＮ ＧＷ１３１３は、ＰＣＲＦから取得した情報にもとづいて、優先度を修正することもできる。例えば、ＰＦにおいてＱｏＳや課金の観点から、そのＰＤＮコネクションをハンドオーバ先アクセスネットワークで確立するのが望ましくない場合（例えば、ネットワークが混雑していたり、ネットワークの静的あるいは動的な特性から所定のＱｏＳを保証できないと判断されたり、料金が高額であることが判断されるなどの場合）、ＰＣＲＦはＰＤＮ ＧＷ１３１３に優先度値を低減させるよう指示する。ここでＰＣＲＦは具体的な修正値を提示してもよいし、あらたな優先度値を提示してもよい。また、修正された優先度値はＰＤＮ ＧＷ１３１３がＨＳＳ／ＡＡＡ１３１５に通知して値を更新させてもよいし、ＰＣＲＦがＨＳＳ／ＡＡＡ１３１５に通知して値を更新させてもよい。
【０１００】
また、こうした優先度の修正は、ＡＡＡサーバが行うものであってもよく、その場合、例えばローミング契約などにもとづいて修正を実施するか判断される。
【０１０１】
ほぼ同時に、ＭＮ１３０１は新たな位置１００ａに移動する（ステップＳ１３０１１）。これにより、ソースｅＮｏｄｅＢ１３０３はターゲットｅＮｏｄｅＢ１３０５にハンドオーバしようとする（ステップＳ１３０１２）。ハンドオーバの実行は、ターゲットｅＮｏｄｅＢ１３０５に向けてダウンリンクデータを送信することで行われる（ステップＳ１３０１３）。あるいは、ソースｅＮｏｄｅＢ１３０３が、ＭＭＥ１３０７にハンドオーバ要求（Handover Required）メッセージを送信して、ＭＭＥ１３０７がソース／ターゲットｅＮｏｄｅＢの仲介を行うものであってもよい。
【０１０２】
ＭＮ１３０１へのダウンリンクデータはＰＤＮ ＧＷ１３１３からＭＮ１３０１へ非３ＧＰＰ ＩＰアクセス１３２１を通じて送信される（ステップＳ１３０１４）。これは、ＰＤＮ ＧＷ１３１３が既に更新されたバインディングエントリを有しているためである。ＭＮ１３０１からのアップリンクデータは、ターゲットｅＮｏｄｅＢ１３０５とソースＳＧ１３０９を介してＰＤＮ ＧＷ１３１３に送信される（ステップＳ１３０１５）。これは、ＭＮ１３０１が非３ＧＰＰ ＩＰアクセス１３２１から確認通知（コンファメーション）を受信していないためであり、３Ｇインタフェースをまだ使用しているためである。
【０１０３】
ターゲットｅＮｏｄｅＢ１３０５は、パス切り替えリクエストをＭＭＥ１３０７に送信する（ステップＳ１３０１６）。ＭＭＥ１３０７は、ターゲットＳＧ１３１１にベアラ生成リクエストを送信する（ステップＳ１３０１７）。ターゲットＳＧ１３１１は、バインディングエントリを更新するためにＰＤＮ ＧＷ１３１３にプロキシＢＵ（ＰＢＵ）を送信する（ステップＳ１３０１８）。このＰＢＵは、ＰＤＮ ＧＷ１３１３内のバインディングエントリが高い優先度値を有しているため拒絶される。
【０１０４】
そのため、ＰＤＮ ＧＷ１３１３は、その理由を示したエラーコードを有するＰＢＡ（エラー）をターゲットＳＧ１３１１に送信する（ステップＳ１３０１９）。ターゲットＳＧ１３１１は、ＭＭＥ１３０７にエラーコードを有するベアラ生成レスポンスを送信する（ステップＳ１３０２０）。ＭＭＥ１３０７は、パス切り替えリクエストアックによりターゲットｅＮｏｄｅＢ１３０５にエラーを知らせる（ステップＳ１３０２１）。ターゲットｅＮｏｄｅＢ１３０５は、リソースの解放を開始することを決定し、ソースｅＮｏｄｅＢ１３０３はターゲットｅＮｏｄｅＢ１３０５からの受信後に失敗したことに気づく（ステップＳ１３０２２）。
【０１０５】
ほぼ同時に、非３ＧＰＰ ＩＰアクセス１３２１（あるいはｅＰＤＧ）は、ＭＮ１３０１にレイヤ３アタッチメント終了メッセージを送信する（ステップＳ１３０２３）。このメッセージは、ＲＡ若しくはＤＨＣＰメッセージの形式になり得る。このメッセージを受信した後、ＭＮ１３０１はデータを送信するインタフェースを切り替え、ＰＤＮ ＧＷ１３１３に向けてデータを送信するため非３ＧＰＰ ＩＰアクセス１３２１を用いる（ステップＳ１３０２４）。
【０１０６】
図１４は本発明の他の処理シーケンスの一例を示すものである。この処理シーケンスは、図１３に示すものとほとんど同一のメッセージ交換のシーケンスである。しかし、ステップＳ１４００３において、ＭＮ１４０１は優先度値の情報を含めない。その代わりに、ＭＮ１４０１はレイヤ３アタッチメントのメッセージ内に優先度値を含める（ステップＳ１４００４）。例えば、このメッセージは、非３ＧＰＰ ＩＰアクセス１４２１が信用できるか否かによって、ＲＳ、ＩＫＥ、若しくはＩＫＥｖ２メッセージに優先度値のオブジェクトを設けたものになり得る。
【０１０７】
非３ＧＰＰ ＩＰアクセス１４２１（ｅＰＤＧ）は、ＰＤＮ ＧＷ１４１３に送信されるプロキシＢＵ（ＰＢＵ）に優先度値を含める（ステップＳ１４００５）。これにより、ＰＤＮ ＧＷ１４１３はバインディングエントリを更新し、そのエントリに優先度値を関連付ける。
【０１０８】
処理シーケンスの残りは図１３に示すものと同様である。ＭＮ１４０１がこの処理シーケンスによりスムーズなハンドオーバをすることができることは明らかである。
【０１０９】
図１５は本発明の他の処理シーケンスを示すものである。処理シーケンスにおけるエンティティは図１３及び図１４に示すものと同じである。ＭＮ１５０１は、ソースｅＮｏｄｅＢ１５０３及びソースＳＧ１５０９に接続を開始する（ステップＳ１５００１）。ＭＮ１５０１が非３ＧＰＰ ＩＰアクセス１５２１にハンドオーバすることを決定する（ステップＳ１５００２）と、ＭＮ１５０１はソースＳＧ１５０９にＬ３（レイヤ３）更新メッセージを３Ｇインタフェースで送信する（ステップＳ１５００３）。レイヤ３更新メッセージにおいて、ＭＮ１５０１は３Ｇ接続の優先度を低くしたい旨を示す。
【０１１０】
このＬ３更新メッセージを受信後、ソースＳＧ１５０９は、ＭＭＥ１５０７にベアラ更新メッセージを送信する（ステップＳ１５００４）。そのメッセージには優先度値が低く設定されていることが示されている。このベアラ更新メッセージは、ベアラ生成レスポンスメッセージの形式になる。
【０１１１】
同時に、ソースＳＧ１５０９は、自身に対するバインディングエントリの優先度を低くするためにＰＤＮ ＧＷ１５１３にＰＢＵを送信する（ステップＳ１５００５）。
【０１１２】
ＭＮ１５０１は、アクセス認証を開始して、非３ＧＰＰ ＩＰアクセス１５２１との接続構築を開始する（ステップＳ１５００６）。ステップＳ１５００６からステップＳ１５００９は、接続構築処理の一部であり、図１３のステップＳ１３００３からステップＳ１３００６までのものと同一である。
【０１１３】
非３ＧＰＰ ＩＰアクセス１５２１のＭＡＧエンティティ（あるいはｅＰＤＧ）によって送信されたＰＢＵ（ステップＳ１５０１０）は特別な優先度値を含まない。そのため、ＰＤＮ ＧＷ１５１３によってデフォルトの優先度として扱われる。これにより、ＰＤＮ ＧＷ１５１３は、存在するバインディングエントリを非３ＧＰＰ ＩＰアクセス１５２１に対するものに替え、通常の優先度により関連付ける。
【０１１４】
ＭＮ１５０１が新たな位置に移動し（ステップＳ１５０１１）、ソースｅＮｏｄｅＢ１５０３がターゲットｅＮｏｄｅＢ１５０５に向けてハンドオーバを開始する（ステップＳ１５０１２）。ステップＳ１５０１２からステップＳ１５０１７までは、ネットワーク主導型のハンドオーバの一部であり、図１３のステップＳ１３０１２からステップＳ１３０１６と同一である。
【０１１５】
ターゲットｅＮｏｄｅＢ１５０５からパス切り替えリクエストを受信する（ステップＳ１５０１７）と、ＭＭＥ１５０７は、低い優先度を示す優先度値を有するベアラ生成リクエストをターゲットＳＧ１５１１に送信する（ステップＳ１５０１８）。ターゲットＳＧ１５１１はその同じ優先度値を有するＰＢＵをＰＤＮ ＧＷ１５１３に送信する（ステップＳ１５０１９）。
【０１１６】
ＰＤＮ ＧＷ１５１３は受信したＰＢＵを優先度値に基づいて拒絶する。具体的には、格納されたバインディングエントリは通常の優先度値を関連付けられているが、受信したＰＢＵは低い優先度値を有している。そのため、ＰＤＮ ＧＷ１５１３はエラーを示すＰＢＡで応答する（ステップＳ１５０２０）。残りの処理、例えばステップＳ１５０２１からステップＳ１５０２５までの処理は、図１３のステップＳ１３０２０からステップＳ１３０２４までの処理と同様である。
【０１１７】
なお、先の実施の形態で示された発明は、あらかじめ決められた状態が満たされる限り、すなわち、ＡＤ１１１とＡＤ１１２がネットワーク主導型のハンドオーバをサポートし、ＡＤ１１３が端末主導型のハンドオーバをサポートする限り、あらゆるネットワークコンビネーションのタイプに適用できる。解決には特に以下のセッティングでうまくいく。
【０１１８】
ＡＤ１１１とＡＤ１１２がＵＭＴＳネットワークであり、ＡＤ１１３がＬＴＥネットワークである。ＡＤ１１１とＡＤ１１２がＵＭＴＳネットワークであり、ＡＤ１１３がＩＭＴ−Ａｄｖａｎｃｅｄネットワークである。ＡＤ１１１とＡＤ１１２が３ＧＰＰネットワークであり、ＡＤ１１３が非３ＧＰＰネットワーク、例えばＷｉＭＡＸ、ＷＬＡＮ（Wireless Local Area Network）、３ＧＰＰ２などである。ＡＤ１１１とＡＤ１１２が非３ＧＰＰネットワークであり、ＡＤ１１３が３ＧＰＰネットワーク（例えばＵＭＴＳ、ＬＴＥ、ＩＭＴ−Ａｄｖａｎｃｅｄネットワークのいずれか、あるいはいくつかの混合ネットワーク）である。
【０１１９】
先の実施の形態において、ＰＭＩＰｖ６は１つの例を説明するために用いられている。しかし、モビリティスキームを管理する他のネットワークが用いられる（例えば、ＧＴＰなどが用いられる）場合でも、その解法が適用できることは当業者にとって自明である。
【０１２０】
なお、上記の本発明の実施の形態の説明で用いた各機能ブロックは、典型的には集積回路であるＬＳＩ（Large Scale Integration）として実現される。これらは個別に１チップ化されてもよいし、一部又はすべてを含むように１チップ化されてもよい。なお、ここでは、ＬＳＩとしたが、集積度の違いにより、ＩＣ（Integrated Circuit）、システムＬＳＩ、スーパーＬＳＩ、ウルトラＬＳＩと呼称されることもある。
【０１２１】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１２２】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【産業上の利用可能性】
【０１２３】
本発明の移動端末のハンドオーバ処理方法、その方法によって用いられる移動端末、接続管理装置及び基地局は、サービスの中断を受けずにスムーズなハンドオーバをすることができ、所望するハンドオーバを行うことができるため、移動端末のハンドオーバを制御する主体が複数存在し、それぞれの制御主体による移動端末のハンドオーバが同時期に発生する場合の移動端末のハンドオーバ処理方法、その方法によって用いられる移動端末、接続管理装置及び基地局に関する。
【手続補正２】
【補正対象書類名】特許請求の範囲
【補正対象項目名】全文
【補正方法】変更
【補正の内容】
【特許請求の範囲】
【請求項１】
移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法であって、
前記複数のアクセスネットワークのうちの所望するアクセスネットワークへの前記移動端末の接続を優先的にさせるための所定の情報を含むメッセージを前記移動端末が生成するステップと、
前記移動端末が、生成された前記メッセージを、前記所望するアクセスネットワークに配置された基地局又は現在接続しているアクセスネットワークに配置された基地局へ送信するステップと、
送信された前記メッセージを受信する前記基地局を通じて得られる前記所定の情報に基づいて、前記接続管理装置が、前記所望するアクセスネットワーク以外のアクセスネットワークの基地局からの前記移動端末のハンドオーバによるパス切り替え要求を拒否するステップとを、
有するハンドオーバ処理方法。
【請求項２】
前記所定の情報は、前記所望するアクセスネットワークへの接続の優先度が他のアクセスネットワークへの接続の優先度より高いことを示す情報、又は前記所望するアクセスネットワーク以外のアクセスネットワークへの接続の優先度が前記所望するアクセスネットワークへの接続の優先度より低いことを示す情報である請求項１に記載のハンドオーバ処理方法。
【請求項３】
前記所定の情報が、前記所望するアクセスネットワークへの接続の優先度が他のアクセスネットワークへの接続の優先度より高いことを示す情報である場合、
前記メッセージを受信する前記所望するアクセスネットワークに配置された前記基地局が、新たな接続の認証を行う認証装置に前記所定の情報を含む認証要求メッセージを送信し、
前記認証装置が、前記認証要求メッセージに基づいて新たな接続の認証を許可した後に、前記所望するアクセスネットワーク以外のアクセスネットワークの基地局からの前記パス切り替え要求を拒否させるために前記所定の情報を前記接続管理装置に通知する請求項２に記載のハンドオーバ処理方法。
【請求項４】
前記所定の情報が、前記所望するアクセスネットワークへの接続の優先度が他のアクセスネットワークへの接続の優先度より高いことを示す情報である場合、
生成された前記メッセージは、前記所望するアクセスネットワークに配置された前記基地局に前記移動端末の識別情報を通知するメッセージである請求項２に記載のハンドオーバ処理方法。
【請求項５】
前記所定の情報が、前記所望するアクセスネットワーク以外のアクセスネットワークへの接続の優先度が前記所望するアクセスネットワークへの接続の優先度より低いことを示す情報である場合、
前記接続管理装置が、前記移動端末が現在接続しているアクセスネットワークに配置された前記基地局から得られる前記所定の情報を関連付けて、前記所望するアクセスネットワーク以外のアクセスネットワークへのパス切り替えの処理を行い、その後、前記所望するアクセスネットワークに配置された前記基地局からのパス切り替え要求のメッセージに基づいてパス切り替えの処理を行った後、前記所定の情報を含むパス切り替え要求のメッセージを前記所望するアクセスネットワーク以外のアクセスネットワークに配置された基地局から受信した場合に、前記所定の情報に基づいて、前記所望するアクセスネットワーク以外のアクセスネットワークの前記基地局からの前記パス切り替え要求を拒否する請求項２に記載のハンドオーバ処理方法。
【請求項６】
移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記移動端末であって、
前記複数のアクセスネットワークのうちの所望するアクセスネットワークへの前記移動端末の接続を優先的にさせるための所定の情報を含むメッセージを生成するメッセージ生成手段と、
生成された前記メッセージを、前記所望するアクセスネットワークに配置された基地局又は現在接続しているアクセスネットワークに配置された基地局へ送信する送信手段とを、
備える移動端末。
【請求項７】
前記所定の情報は、前記所望するアクセスネットワークへの接続の優先度が他のアクセスネットワークへの接続の優先度より高いことを示す情報、又は前記所望するアクセスネットワーク以外のアクセスネットワークへの接続の優先度が前記所望するアクセスネットワークへの接続の優先度より低いことを示す情報である請求項６に記載の移動端末。
【請求項８】
前記所定の情報が、前記所望するアクセスネットワークへの接続の優先度が他のアクセスネットワークへの接続の優先度より高いことを示す情報である場合、
前記メッセージ生成手段によって生成された前記メッセージは、前記所望するアクセスネットワークに配置された前記基地局に前記移動端末の識別情報を通知するメッセージである請求項７に記載の移動端末。
【請求項９】
移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記接続管理装置であって、
前記複数のアクセスネットワークのうちの前記移動端末が所望するアクセスネットワーク以外のアクセスネットワークに配置された基地局から、パス切り替え要求メッセージを受信する受信手段と、
前記移動端末によって生成されたメッセージに含まれる情報であって、前記複数のアクセスネットワークのうちの所望するアクセスネットワークへの前記移動端末の接続を優先的にさせるための所定の情報に基づいて、前記所望するアクセスネットワーク以外のアクセスネットワークの前記基地局からの要求であって、前記移動端末のハンドオーバによるパス切り替え要求を拒否するか否かを判断する判断手段と、
前記パス切り替え要求を拒否すると判断された場合に、前記パス切り替え要求を拒否する旨のメッセージを前記所望するアクセスネットワーク以外のアクセスネットワークの前記基地局へ送信する送信手段とを、
備える接続管理装置。
【請求項１０】
前記所定の情報は、前記所望するアクセスネットワークへの接続の優先度が他のアクセスネットワークへの接続の優先度より高いことを示す情報、又は前記所望するアクセスネットワーク以外のアクセスネットワークへの接続の優先度が前記所望するアクセスネットワークへの接続の優先度より低いことを示す情報である請求項９に記載の接続管理装置。
【請求項１１】
前記所定の情報が、前記所望するアクセスネットワークへの接続の優先度が他のアクセスネットワークへの接続の優先度より高いことを示す情報である場合、
前記メッセージを受信する前記所望するアクセスネットワークに配置された前記基地局によって送信された前記所定の情報を含む認証要求メッセージを新たな接続の認証を行う認証装置が受信し、前記認証要求メッセージに基づいて新たな接続の認証を許可した後に、
前記受信手段は、前記所望するアクセスネットワーク以外のアクセスネットワークの前記基地局からの前記パス切り替え要求を拒否させるための前記所定の情報を前記認証装置から受信する請求項１０に記載の接続管理装置。
【請求項１２】
前記所定の情報が、前記所望するアクセスネットワーク以外のアクセスネットワークへの接続の優先度が前記所望するアクセスネットワークへの接続の優先度より低いことを示す情報である場合、
前記判断手段が、前記移動端末が現在接続しているアクセスネットワークに配置された前記基地局から得られる前記所定の情報を関連付けて、前記所望するアクセスネットワーク以外のアクセスネットワークへのパス切り替えの処理を行い、その後、前記所望するアクセスネットワークに配置された前記基地局からのパス切り替え要求のメッセージに基づいてパス切り替えの処理を行い、前記受信手段が、前記所定の情報を含むパス切り替え要求のメッセージを前記所望するアクセスネットワーク以外のアクセスネットワークに配置された基地局から受信した場合に、
前記判断手段は、前記所定の情報に基づいて、前記所望するアクセスネットワーク以外のアクセスネットワークの前記基地局からの前記パス切り替え要求を拒否する請求項１０に記載の接続管理装置。
【請求項１３】
移動端末が、複数のアクセスネットワークから構成される通信ネットワークを介して通信相手と通信を行うよう構成され、かつ前記移動端末の接続管理を行う接続管理装置がある通信システムに、前記移動端末のハンドオーバの制御主体が前記移動端末自身を含めて複数存在し、前記複数の制御主体のそれぞれによる前記移動端末のハンドオーバ処理が発生する可能性がある場合の前記移動端末のハンドオーバ処理方法で用いられる前記移動端末の基地局であって、
前記移動端末によって生成されたメッセージであって、前記複数のアクセスネットワークのうちの所望するアクセスネットワークへの前記移動端末の接続を優先的にさせるための所定の情報を含むメッセージを受信する受信手段と、
受信された前記メッセージに含まれる前記所定の情報を取得し、取得された前記所定の情報を含むメッセージを生成する、又は取得された前記所定の情報を含むパス切り替え要求のメッセージを生成するメッセージ生成手段と、
生成された前記メッセージ又は前記パス切り替え要求のメッセージを所定の装置又は前記接続管理装置へ送信する送信手段とを、
備える基地局。
【請求項１４】
前記所定の情報は、前記所望するアクセスネットワークへの接続の優先度が他のアクセスネットワークへの接続の優先度より高いことを示す情報、又は前記所望するアクセスネットワーク以外のアクセスネットワークへの接続の優先度が前記所望するアクセスネットワークへの接続の優先度より低いことを示す情報である請求項１３に記載の基地局。
【請求項１５】
前記所定の情報が、前記所望するアクセスネットワークへの接続の優先度が他のアクセスネットワークへの接続の優先度より高いことを示す情報である場合、
前記メッセージ生成手段は、新たな接続の認証を行う認証装置に認証を行わせるためのメッセージであって、前記所定の情報を含む認証要求メッセージを生成し、
前記送信手段は、生成された前記認証要求メッセージを前記認証装置へ送信する請求項１４に記載の基地局。
【請求項１６】
前記所定の情報が、前記所望するアクセスネットワークへの接続の優先度が他のアクセスネットワークへの接続の優先度より高いことを示す情報である場合、
前記移動端末によって生成された前記メッセージは、前記所望するアクセスネットワークに配置された前記基地局に前記移動端末の識別情報を通知するメッセージである請求項１４に記載の基地局。
【手続補正３】
【補正対象書類名】図面
【補正対象項目名】全図
【補正方法】変更
【補正の内容】
【図１】
2010026740.tif 000018
【図２】
2010026740.tif 000019
【図３】
2010026740.tif 000020
【図４】
2010026740.tif 000021
【図５】
2010026740.tif 000022
【図６】
2010026740.tif 000023
【図７】
2010026740.tif 000024
【図８】
2010026740.tif 000025
【図９】
2010026740.tif 000026
【図１０】
2010026740.tif 000027
【図１１】
2010026740.tif 000028
【図１２】
2010026740.tif 000029
【図１３】
2010026740.tif 000030
【図１４】
2010026740.tif 000031
【図１５】
2010026740.tif 000032
【国際調査報告】
2010026740.tif 000033
2010026740.tif 000034